(57)【要約】      （修正有）【課題】迅速にアクセスし、凝血塊の最適化吸引を行い、閉塞大脳血管への流れを回復させて塞栓を解消できるデバイスのシステムおよび方法を提供する。【解決手段】アクセスシース２２０を介して、神経血管内の管腔内医療処置の促進のための血管内アクセスシステムで、管腔部の近位端における近位開口部と管腔部の遠位端における遠位開口部との間に延在する管腔を画定する内径を有する、可撓性の遠位管腔部を有する吸引カテーテル３２０または支持カテーテルを含む。このカテーテル３２０は、管腔部の少なくとも近位端と結合し、そこから近位方向に延在する、剛性のスパイン３３０を有し、管腔部の管腔内に受け入れることができるように寸法決めされた、可撓性の遠位拡張器部を含む。【選択図】図２Ａ
2020185396.tif 000002
【特許請求の範囲】
【請求項１】
アクセスシースを介する、神経血管内の管腔内医療処置の促進のための血管内アクセスシステムであって 
可撓性の遠位管腔部であって、前記管腔部の近位端の近位開口部と前記管腔部の遠位端の遠位開口部との間に延在する管腔を画定する内径を有する、該可撓性の遠位管腔部と、
前記管腔部の少なくとも近位端に結合され、そこから近位方向に延在する剛性のスパインと、を含む吸引カテーテルまたは支持カテーテル、および
前記管腔部の管腔内に受け入れ可能に寸法決めされた可撓性の遠位拡張器部と、前記遠位拡張器部から近位方向に延在する剛性の拡張器スパインとを有する拡張器、を含む、該血管内アクセスシステム。
【請求項２】
使用時には、前記拡張器スパインは、カテーテルのスパインと並んで整列している、請求項１記載のシステム。
【請求項３】
前記遠位拡張器部は、テーパー状の遠位先端を有する、請求項１または２に記載のシステム。
【請求項４】
前記拡張器は、前記拡張器の遠位先端が前記管腔部の前記遠位開口部から突出することができる長さを少なくとも有する、請求項１〜３のいずれかに記載のシステム。
【請求項５】
前記拡張器は、その長さの少なくとも一部に沿って概ね管状である、請求項１〜４のいずれかに記載のシステム。
【請求項６】
前記カテーテルスパインの近位端は、前記アクセスシースを通ってカテーテルを移動させるために、ユーザーが把持できるように構成された把持機構を含む、請求項１〜５のいずれかに記載のシステム。 
【請求項７】
前記拡張器スパインの近位端は、前記把持機能で係止できるように構成されたタブを前記カテーテルスパイン上に有することを特徴とする請求項６に記載のシステム。 
【請求項８】
前記カテーテルと前記拡張器は、前記アクセスシースを通って、単一のユニットとして前進できる、係止構成にある、請求項７記載のシステム。
【請求項９】
前記把持機構と前記拡張器タブは、係止構成では、前記拡張器タブが前記把持機構に係合し、非係止構成では、前記拡張器が前記把持機構と非係合となるように、前記把持機構と前記拡張器タブが取り外し可能に結合されている、請求項７または８に記載のシステム。
【請求項１０】
前記拡張器タブが、前記拡張器に固定されている、請求項７〜９のいずれかに記載のシステム。
【請求項１１】
前記拡張器タブは、前記拡張器と前記カテーテルとの間の異なる相対位置に対応できるように、前記拡張器上で摺動可能である、請求項７〜９のいずれかに記載のシステム。 
【請求項１２】
前記遠位拡張器部は、１つ以上の戻り止めを外面上に含むことができ、該戻り止めは、拡張器部がその中を延在する管腔部の内面上の、対応するように賦形された表面特徴に係止されるように構成されている、請求項１〜１１のいずれかに記載のシステム。
【請求項１３】
前記拡張器スパインと前記カテーテルスパインは、同様の硬さとキンク抵抗を有する、請求項１〜１２のいずれかに記載のシステム。
【請求項１４】
前記拡張器は、前記遠位先端の遠位端および／または近位端に視覚マーカーを有する、請求項１〜１３のいずれかに記載のシステム。
【請求項１５】
前記拡張器の遠位端領域は、より可撓性であり、前記拡張器の近位端領域の方向に向かって硬くなる、請求項１〜１４のいずれかに記載のシステム。
【請求項１６】
前記カテーテルスパインと前記拡張器スパインは、アクセスシースの管腔を通って前記管腔部が双方向に摺動して移動できるとともに、処置部位に到達させるために前記管腔部を脳血管内に移動できるように構成されている、請求項１〜１５のいずれかに記載のシステム。
【請求項１７】
アクセスシースを介する、神経血管内の管腔内医療処置の促進のための血管内アクセスシステムであって 
シース本体を含むアクセスシースであって、前記シース本体が、前記シース本体の近位端と遠位端との間の管腔を画定する内径と、前記シース本体の遠位端領域の近傍の前記管腔からの少なくとも１つの開口部とを有する、該アクセスシースと、
可撓性の遠位管腔部であって、前記アクセスシースの前記管腔を通って挿入できるように寸法決めされた外径と、前記管腔部の近位端の近位開口部と前記管腔部の遠位端の遠位開口部との間に延在する管腔を画定する内径と、前記遠位開口部と前記近位開口部との間の長さ、とを有する該可撓性の遠位管腔部と、前記管腔部の前記近位端に少なくとも結合し、そこから近位方向に延在する剛性のスパインと、を含む、吸引カテーテルまたは支持カテーテルと、を含み、
前記剛性のスパインは、処置部位に到達させるために前記管腔部を脳血管内に移動させるために、前記アクセスシースの管腔を通って前記管腔部が双方向に摺動して移動し、少なくとも１つの開口部から出ることができるように構成され、および
処置部位に到達させるために、脳血管の中に前記管腔部の前記遠位端を延在させると、前記管腔部の外径の部分が、前記アクセスシースの内径をシールする、該血管内アクセスシステム。
【請求項１８】
前記管腔部と前記シース本体は、同心状に配置され、前記管腔部の前記管腔と前記シース本体の前記管腔は、前記管腔部の前記遠位端から前記シース本体の前記近位端まで連続する吸引管腔を形成する、請求項１７記載のシステム。
【請求項１９】
前記連続する吸引管腔は、前記管腔部の前記遠位開口部から流体とデブリを吸引することに使用できる、請求項１８記載のシステム。
【請求項２０】
前記連続する吸引管腔は、前記管腔部の前記遠位開口部を通って物質を送達することに使用できる、請求項１８または１９に記載のシステム。
【請求項２１】
前記連続する吸引管腔は、前記管腔部の前記管腔が前記シース本体の前記管腔の中に入り込む、逓増する直径部を形成する、請求項１７〜２０のいずれかに記載のシステム。
【請求項２２】
前記管腔部の前記管腔は、前記シース本体の前記管腔よりも短い、請求項１７〜２１のいずれかに記載のシステム。
【請求項２３】
前記管腔部と前記シース本体は、前記管腔部が、前記シース本体の少なくとも１つの開口部を超えて遠位方向へ延在する時、重なり領域を形成する、請求項１７〜２２のいずれかに記載のシステム。
【請求項２４】
前記管腔部の外径は、前記重なり領域によりシールが形成されるように、前記シース本体の前記管腔の内径に近付いている、請求項２３記載のシステム。
【請求項２５】
前記シールは、最高２５水銀柱インチ（inHg）または最高２８水銀柱インチ（inHg）の真空に対してシールすることができるように構成されている、請求項２４に記載のシステム。
【請求項２６】
前記重なり領域内の前記シールは、最大３００ｍｍＨｇの圧力に対してシールが可能なように構成されている。請求項２４に記載のシステム。
【請求項２７】
前記シールは、前記管腔部の近位端の遠位方向であって、前記シース本体の少なくとも１つの開口部の近位方向に位置している、請求項２４〜２６のいずれかに記載のシステム。
【請求項２８】
前記管腔部の外面上に位置するシール要素をさらに含む、請求項２４〜２７のいずれかに記載のシステム。
【請求項２９】
前記シール要素は、前記重なり領域に、逓増した直径部または突出特徴部を含む、請求項２８に記載のシステム。
【請求項３０】
前記シール要素は、１つ以上の外部リッジ特徴部を含む、請求項２８に記載のシステム。
【請求項３１】
前記管腔部が前記シース本体の前記管腔内に挿入される時、前記１つ以上の外部リッジ特徴部は、圧縮可能である、請求項３０に記載のシステム。
【請求項３２】
前記シール要素は、前記のシース本体管腔の内面に対して付勢する１つ以上の傾斜面を有する、請求項２８に記載のシステム。
【請求項３３】
前記シール要素は、シールするために作業する、１つ以上の拡張部材を含む、請求項２８に記載のシステム。
【請求項３４】
前記シース本体は、頚動脈への挿入に適した外径を有する、請求項１７〜３３のいずれかに記載のシステム。
【請求項３５】
前記シース本体の外径は、５Ｆｒと７Ｆｒの間である、請求項３４に記載のシステム。
【請求項３６】
前記シース本体は、経大腿動脈アプローチで、前記シース本体の遠位端を内頸動脈の錐体部に配置するのに適した、前記近位端と前記遠位端との間の長さを有する、請求項１７〜３５のいずれかに記載のシステム。
【請求項３７】
前記シース本体の長さは、８０ｃｍと１０５ｃｍの間である、請求項３６に記載のシステム。
【請求項３８】
前記管腔部の長さは、１０ｃｍと２５ｃｍの間である、請求項１７〜３７のいずれかに記載のシステム。
【請求項３９】
前記カテーテルを前記シース本体の中に後退させる時に、前記管腔部の重なり領域と前記シース本体の内径との間にシールが残るように、前記管腔部の長さが前記シース本体の長さより短い、請求項１７〜３８のいずれかに記載のシステム。
【請求項４０】
前記スパインは、前記シース本体の全長よりも長い、請求項１７〜３９のいずれかに記載のシステム。
【請求項４１】
前記管腔部は、内側潤滑性ライナー、補強層、および外側ジャケット層を含む３層以上を含む、請求項１７〜４０のいずれかに記載のシステム。
【請求項４２】
前記外側ジャケット層は、遠位管腔部の長さに沿って可撓性を変化させるために、異なるデュロメータ硬度、組成、および／または厚さを有する、ポリマーの個別部分から構成されている、請求項４１に記載のシステム。
【請求項４３】
前記遠位管腔部は、大脳動脈の中へ移動できるよう寸法決めされている、請求項１７〜４２のいずれかに記載のシステム。
【請求項４４】
前記遠位管腔部の内径は、０．０４０インチと０．０８８インチの間である、請求項１７〜４３のいずれかに記載のシステム。
【請求項４５】
前記管腔部の外径は前記シース本体の内径に近付くことで、前記シース本体を通ってカテーテルが移動をすることを可能にしながら、重なり領域にシール領域を形成する、請求項１７〜４４に記載のシステム。
【請求項４６】
前記管腔部が前記シース本体をシールする場所の近傍で、前記管腔部の最遠位端が前記管腔部のより近位領域と比べてより小さな外径を有するように、前記カテーテルは前記遠位開口部に向かうテーパー形状を有する、請求項１７〜４５のいずれかに記載のシステム。
【請求項４７】
前記シース本体の前記遠位端領域は、閉塞要素を含む、請求項１７〜４６のいずれかに記載のシステム。
【請求項４８】
前記シース本体の前記遠位端領域は、拡張遠位先端を含む、請求項１７〜４７のいずれかに記載のシステム。
【請求項４９】
前記管腔からの少なくとも１つの開口部は、前記シース本体の遠位先端から離れて位置する側方開口部を有する、請求項１７〜４８のいずれかに記載のシステム。
【請求項５０】
前記シース本体の遠位先端は、前記カテーテルを前記シース本体の管腔の長手方向軸から遠ざけて、前記少なくとも１つの開口部を通って外に出られるような角度に向けるように構成された傾斜特徴部を含む、請求項１７〜４９のいずれかに記載のシステム。
【請求項５１】
前記スパインは、前記シース本体の全長よりも長い、請求項１７〜５０のいずれかに記載のシステム。
【請求項５２】
前記スパインは、０．０１４インチ〜０．０１８インチの外側寸法を有する、請求項１７〜５１のいずれかに記載のシステム。
【請求項５３】
前記スパインは、それを通って延在するガイドワイヤ通路を有するハイポチューブである、請求項１７〜５２に記載のシステム。
【請求項５４】
前記スパインは、厚さが０．０１０インチ〜０．０２５インチの外側寸法を有するリボンである、請求項１７〜５３のいずれかに記載のシステム。
【請求項５５】
前記リボンは、少なくとも円弧の一部に沿って湾曲している、請求項５４記載のシステム。
【請求項５６】
前記スパインは、前記アクセスシースの長手方向軸の周りを前記管腔部が回転するように構成されている、請求項１７〜５５のいずれかに記載のシステム。
【請求項５７】
前記スパインは、前記管腔部に偏心的に結合され、前記スパインは、前記管腔部から前記シース本体の前記近位端の外側に向けて近位に延在している、請求項１７〜５６のいずれかに記載のシステム。
【請求項５８】
前記管腔部の前記近位端は、角度付きカットを有する、請求項１７〜５７のいずれかに記載のシステム。
【請求項５９】
前記角度付きカットは、ほぼ平坦または湾曲している、請求項５８に記載のシステム。
【請求項６０】
前記シース本体は、前記シース本体の前記遠位端領域に１つ以上の視覚マーカーを有する、請求項１７〜５９のいずれかに記載のシステム。
【請求項６１】
前記遠位管腔部は、前記管腔部の遠位端領域、前記管腔部の近位端領域、またはその両方に１つ以上の視覚マーカーを有する請求項１７〜６０のいずれかに記載のシステム。
【請求項６２】
前記シース本体上の１つ以上の視覚マーカーと前記管腔部上の１つ以上の視覚マーカーは、視覚的に区別可能である、請求項６０または６１に記載のシステム。
【請求項６３】
前記スパインは、１つ以上の視覚マーカーを有する、請求項６０〜６２のいずれかに記載のシステム。
【請求項６４】
前記スパインの前記１つ以上の視覚マーカーは、前記遠位管腔部と前記シース本体との間の重なりを示す、請求項６３記載のシステム。
【請求項６５】
前記スパインの前記視覚マーカーを前記アクセスシースの一部と整列させる時、前記カテーテルと前記シース本体との間のシールを形成するのに必要な最小限の重なり長さを有する最遠位位置に前記カテーテルが位置するように、前記スパインの前記１つ以上の視覚マーカーは配置される、請求項６３または６４に記載のシステム。
【請求項６６】
さらに拡張器を含み、該拡張器は、遠位先端を有するとともに前記カテーテルの前記管腔部内に受け入れ可能に寸法決めされた、可撓性の遠位拡張部を含む、請求項１７〜６５のいずれかに記載のシステム。
【請求項６７】
前記拡張器は、その長さの少なくとも一部に沿った管状要素である、請求項６６に記載のシステム。
【請求項６８】
前記拡張器は、ユーザーにより成形が可能なように構成された、可鍛性材料で形成された固体ロッドである、請求項６６に記載のシステム。
【請求項６９】
前記拡張器は、前記拡張部から近位方向に延在する、剛性の拡張器スパインである、請求項６６に記載のシステム。
【請求項７０】
前記拡張器スパインは、同軸である、請求項６９記載のシステム。
【請求項７１】
前記同軸拡張器スパインは、それを通って延在する管腔を有する、請求項７０記載のシステム。
【請求項７２】
前記拡張器スパインは偏心している、請求項６９に記載のシステム。 
【請求項７３】
使用時には、前記拡張器スパインは、前記カテーテルの前記スパインと並んで整列している、請求項６９〜７２に記載のシステム。
【請求項７４】
前記遠位先端はテーパー状である、請求項６６〜７３のいずれかに記載のシステム。
【請求項７５】
前記拡張器は、前記遠位先端が前記管腔部の前記遠位開口部から突出するように、前記カテーテルと少なくとも同じ長さを有する、請求項７４記載のシステム。
【請求項７６】
前記スパインの近位端は、前記アクセスシースを通ってカテーテルを移動させるために、ユーザが把持できるように構成された把持機構を含む、請求項６９〜７５のいずれかに記載のシステム。
【請求項７７】
前記拡張器スパインの近位端は、前記把持機能で係止できるように構成されたタブを前記カテーテルスパイン上に有する、請求項７６に記載のシステム。
【請求項７８】
前記カテーテルと前記拡張器は、前記シース本体を通って、単一のユニットとして前進できる、係止構成にある、請求項７７記載のシステム。
【請求項７９】
前記把持機構と前記拡張器タブは、係止構成では、前記拡張器タブが前記把持機構に係合し、非係止構成では、前記拡張器が前記把持機構と非係合となるように、前記把持機構と前記拡張器タブが取り外し可能に結合されている、請求項７７または７８に記載のシステム。
【請求項８０】
前記拡張器タブが、前記拡張器に固定されている、請求項７７〜７９のいずれかに記載のシステム。
【請求項８１】
前記拡張器タブは、前記拡張器と前記カテーテルとの間の異なる相対位置に対応できるように、前記拡張器上で摺動可能である、請求項７７〜７９のいずれかに記載のシステム。 
【請求項８２】
前記遠位拡張器部は、１つ以上の戻り止めを外面上に含むことができ、該戻り止めは、拡張器部がその中を延在する管腔部の内面上の、対応するように賦形された表面特徴に係止されるように構成されている、請求項６６〜８１のいずれかに記載のシステム。
【請求項８３】
前記拡張器スパインと前記カテーテルスパインは、同様の硬さとキンク抵抗を有する、請求項６９〜８２のいずれかに記載のシステム。
【請求項８４】
前記拡張器は、前記遠位先端の遠位端および／または近位端に視覚マーカーを有する、請求項６６〜８３のいずれかに記載のシステム。
【請求項８５】
前記拡張器の遠位端領域は、より可撓性であり、前記拡張器の前記近位端領域の方向に向かって硬くなる、請求項６６〜８４のいずれかに記載のシステム。
【請求項８６】
前記アクセスシースは、前記シース本体の前記近位端を近位止血弁に接続するコネクタをさらに含む、請求項１７〜８５のいずれかに記載のシステム。
【請求項８７】
前記近位止血弁は、前記カテーテルをその上の凝血塊を除去することなく取り外すことができる十分な大きさに寸法決めされた調整可能な開口部を有する、請求項８６に記載のシステム。
【請求項８８】
前記アクセスシースとともに使用する時には、前記カテーテルの剛性スパインは、前記アクセスシースの管腔を通って前記管腔部から、前記アクセスシースの前記近位止血弁の外へと近位方向に延在する、請求項８６または８７に記載のシステム。
【請求項８９】
前記コネクタは、前記シース本体の前記近位端の吸引ラインへの接続を提供する、請求項８６〜８８のいずれかに記載のシステム。
【請求項９０】
前記コネクタは、大口径の管腔を有し、大口径の吸引ラインに接続する、請求項８６〜８９のいずれかに記載のシステム。
【請求項９１】
前記吸引ラインは、吸引源に接続する、請求項８９又は９０に記載のシステム。 
【請求項９２】
前記吸引源は能動吸引源である、請求項９１のシステム。 
【請求項９３】
前記吸引ラインは、前方点滴または洗浄ラインに接続する、請求項８９〜９２のいずれかに記載のシステム。
【請求項９４】
前記アクセスシースは近位拡張部をさらに含み、前記カテーテルの前記遠位管腔部は、前記シース本体の管腔から引き出される時、前記近位拡張部の中に留まる、請求項１７〜９３のいずれかに記載のシステム。
【請求項９５】
前記管腔部の内径は、前記管腔部を通して介入デバイスを配置することが可能なように寸法決めされる、請求項１７〜９４のいずれかに記載のシステム。 
【発明の詳細な説明】
【技術分野】
【０００１】
（関連出願の相互参照）
本願は、２０１５年２月４日に出願された米国仮出願第６２／１１１，４８１号、および２０１５年４月３日に出願された米国仮出願第６２／１４２，６３７号に基づく優先権を主張するものであり、出典明示により、それぞれの開示内容は、すべて本明細書に組み入れられる。
【０００２】
本願は、また以下の米国特許出願に関連するものであり、出典明示にそのすべての内容が本明細書に組み入れられる：（１）２０１４年１２月１９日に出願された米国特許出願第１４／５７６，９５３号；（２）２０１４年１２月１２日に出願された米国特許出願第１４／５６９，３６５号；（３）２０１４年１１月１０日に出願された米国特許出願第１４／５３７，３１６号；（４）２０１４年３月２１日に出願された米国特許出願第１４／２２１，９１７号。
【背景技術】
【０００３】
本開示は、一般に、急性虚血性脳卒中の治療のための医療方法および医療デバイスに関する。さらに詳しくは、本開示は、迅速かつ安全な脳梗塞の吸引および除去を行うために、複雑な解剖をナビゲートするための方法およびシステムに関する。
【０００４】
急性虚血性脳卒中は、脳の部分への適切な血流の突然の閉塞であり、通常、脳に血液を供給する血管の１つに詰まったあるいは形成された血栓またはその他の塞栓により引き起こされる。この閉塞状態が迅速に解消されない場合、虚血により永久的な神経障害または死に至る場合がある。脳卒中の効果的治療の期限は、静脈内（ＩＶ）血栓溶解療法の場合は３時間以内、部位特異的な動脈内血栓溶解療法の場合は６時間以内、閉塞脳動脈の介入再開通の場合は最大８時間である。この期間後の虚血性脳への再灌流は、患者に対しては全体的な利益はなく、実際に、線維素溶解剤の使用により頭蓋内出血の危険性が増加することで、害をもたらす場合がある。この期間内であっても、発症から治療までの時間が短いほど、良好な結果が得られるという強い証拠がある。残念なことに、時間枠内に、症状に気付き、患者を脳卒中の治療場所まで運び、そして最終的にこれらの患者をこの期限内に治療できることはまれである。治療の進歩にもかかわらず、脳卒中は未だに３番目の主要な死因であり、米国における重篤で長期的な障害の主要な原因でもある。
【０００５】
急性脳卒中の血管内治療は、組換え組織プラスミノーゲン活性化因子（ｒｔＰＡ）等の血栓溶解薬の動脈内投与、閉塞の機械的除去、またはこれらの２つの組み合わせからなる。上記のように、これらの介入治療は、発症の数時間以内に行わなければならない。動脈内（ＩＡ）血栓溶解療法と介入血栓摘出術の両方は、血管内技術およびデバイスを介して、閉塞脳動脈にアクセスすることを含む。
【０００６】
ＩＶ血栓溶解療法の場合と同様に、ＩＡ血栓溶解療法単独では、効果的に凝血塊を溶解するには注入に数時間を要するという制約がある。介入的血栓切除療法は、スネア、コイルまたは一時的なステント（回収可能なステントデバイスとしても知られている）を使用して凝血塊を捕捉および除去し、さらに凝血塊の破壊を伴うかまたは伴わずに凝血塊を吸引することを含む。回収可能なステントデバイスは、介入中に血管への流れを迅速に回復させるために用いられる。凝血塊の除去を補助するとともに遠位塞栓の危険性を減らすために、回収可能なステントデバイスと、ガイドカテーテルまたは中間カテーテルを介した吸引とを組み合わせた複合手順も用いられる。最後に、凝血塊の除去または溶解が可能でない場合、凝血塊を貫通する開存ルーメン（patent lumen）を形成するために、バルーンまたはステントが用いられている。 
【０００７】
大脳の解剖学的構造（cerebral anatomy）にアクセスするため、ガイドカテーテルまたはガイドシースを用いて、動脈アクセス部位、典型的には大腿動脈から、標的解剖学的構造へと介入デバイスを案内する。高レベルの塞栓を遊離させる可能性のある近位頸動脈閉塞を処置期間中に可能にするため、バルーンガイドカテーテルが、しばしば使用される。近位閉塞は、前進流を阻止するとともに、ガイドカテーテルの管腔を通る吸引の効率を高める効果を有する。ガイドの長さは、アクセス部位とガイド先端チップの所望の位置との間の距離によって決定される。部分選択ガイド（sub-selective guides）および吸引に使用されるガイドワイヤ、マイクロカテーテル、および中間カテーテル等の介入デバイスは、ガイドを通って挿入され、標的部位へ送られる。しばしば、デバイスは同軸的に使用される、すなわち、中間カテーテル内のマイクロカテーテル内のガイドワイヤは、アセンブリとして標的部位に向けて段階的に送られ、内部の最も非侵襲的な要素を最初に遠位に前進させ、外側要素の前進を保護する。同軸アセンブリの各要素の長さは、ガイドの長さ、カテーテル上の近位コネクタの長さ、および遠位端から伸びるのに必要な長さを考慮する。したがって、例えば、中間カテーテルの作業長は、典型的には、ガイドの作業長よりも２０〜４０ｃｍ長く、マイクロカテーテルの作業長は、典型的には、中間カテーテルの作業長よりも１０〜３０ｃｍ長い。ガイドワイヤは、典型的には、マイクロカテーテルよりも２０〜５０ｃｍ長い。
【発明の概要】
【発明が解決しようとする課題】
【０００８】
現在の技術に関するいくつかの典型的な問題は、閉塞部位へアクセスするために必要な時間あるいは少なくともアクセスできること、流れを回復させるために必要な時間あるいは血管への流れを完全または少なくとも部分的に回復させることができないこと、負の神経学的効果と穿孔および脳内出血などの処置合併症を潜在的に有する処置期間中の遠位塞栓の発生、を含んでいる。潜在的に塞栓を解消できる、迅速なアクセス、凝血塊の最適化吸引、処置の全段階にわたる遠位保護、および閉塞大脳血管への流れを完全に回復させるために必要とされる、安全で迅速なデバイスの交換、を可能とするデバイスのシステムおよび方法が必要とされている。
【課題を解決するための手段】
【０００９】
一態様では、アクセスシースを通して行う神経血管内の管腔内医療処置を容易にするための血管内アクセスシステムが開示される。このシステムは、可撓性の遠位管腔部であって、前記管腔部の近位端の近位開口部と前記管腔部の遠位端の遠位開口部との間に延在する管腔を画定する内径を有する、該可撓性の遠位管腔部、を有する吸引カテーテルまたは支持カテーテルを含んでいる。このカテーテルは、前記管腔部の少なくとも近位端に結合され、前記管腔部から近位方向に延在する剛直なスパイン（spine）を有している。このシステムは、前記管腔部の管腔内に受容されるように寸法決めされた可撓性の遠位拡張器部と、その拡張器部から近位方向に延在する剛性の拡張器スパインとを有する拡張器を含んでいる。
【００１０】
拡張器スパインは、カテーテルのスパインと並べて整列させることができる。遠位拡張器部は、テーパー状の遠位先端部を有することができる。拡張器は、拡張器の遠位先端部が管腔部の遠位開口部から突出できるように、カテーテルの長さと少なくとも同じ長さを有している。拡張器は、長さの少なくとも一部分に沿って概して管状である場合がある。カテーテルスパインの近位端は、アクセスシースを通してカテーテルを移動させるためにユーザーが把持できるように構成された把持機構を含むことができる。拡張スパインの近位端は、カテーテルスパイン上の把持機構に係止できるように構成されたタブを含むことができる。カテーテルと拡張器とが係止されたとき、それらは単一ユニットとして、アクセスシースを通って前進させることができる。把持機構と拡張器タブとは、取り外し可能に結合させることができ、係止された構成では拡張器タブが把持要素に係合し、非係止された構成では拡張器タブが把持要素から外れる。拡張器タブは、拡張器に固定することができる、あるいは拡張器とカテーテルとの間の異なる相対位置に対応するために、拡張器上で摺動させることもできる。遠位拡張器部は、１つ以上の戻り止めを外面上に含むことができ、該戻り止めは、拡張器部がその中を延在する管腔内管腔の内面上の、対応するよう賦形された表面特徴に係止されるように構成されている。拡張スパインとカテーテルスパインとは、同様の剛性とよじれ耐性を有することができる。拡張器は、遠位先端部の遠位端および／または近位端に視覚マーカーを有することができる。拡張器の遠位端領域は、より柔軟であり、かつ拡張器の近位端領域に向うに従って剛直になるようにすることができる。カテーテルスパインと拡張器スパインとは、アクセスシースの管腔を通って管腔部の双方向摺動運動を引き起こし、および管腔部を脳血管に進めて治療部位に到達するように構成することができる。
【００１１】
相互に関係する態様では、アクセスシースと吸引カテーテルまたは支持カテーテルを有する神経血管内の管腔内医療処置を容易にするための血管内アクセスシステムが開示される。アクセスシースは、シース本体の近位端と遠位端との間の管腔を画定する内径を有するシース本体を有している。シース本体は、シース本体の遠位端領域付近の管腔からの少なくとも１つの開口部を有している。吸引カテーテルまたは支持カテーテルは、アクセスシースの管腔を通って挿入されるように寸法決めされた外径と、管腔部の近位端の近位開口部と、管腔部の遠位端の近位開口部と遠位開口部との間を延在する管腔を確定する内径と、近位開口部と遠位開口部との間の長さとを有する、可撓性の遠位管腔部を有している。吸引カテーテルまたは支持カテーテルは、管腔部の少なくとも近位端に結合され、そこから近位方向に延在する剛直なスパインを含んでいる。剛直なスパインは、アクセスシースの管腔を通る管腔部の双方向摺動運動を生じさせることで、少なくとも１つの開口部から出て、管腔部を脳血管に進めて治療部位に到達させるように構成されている。管腔部の遠位端が治療部位に達するように脳血管内に延在する時、管腔部の外径の一部はアクセスシースの内径を流体封止する。
【００１２】
管腔部とシース本体とは、同心円状に整列させることができ、管腔部の管腔とシース本体の管腔とは、管腔部の遠位端からシース本体の近位端まで連続する吸引管腔を形成する。連続した吸引管腔は、管腔部の遠位開口部から流体および破片を吸引するために使用することができる。連続した吸引腔は、管腔部の遠位開口部を通して材料を送達することができる。連続した吸引管腔は直径の増加部を形成してもよく、そこでは管腔部の管腔の中身をシース本体の管腔内に全部移す。管腔部の管腔は、シース本体の管腔よりも短くすることができる。管腔部とシース本体とは、管腔部がシース本体の少なくとも１つの開口部を越えて遠位方向に延在する重なり領域を形成することができる。管腔部の外径は、シース本体の管腔の内径に近づくことができ、その結果、重なり領域によりシールが形成される。シールは、最高２５水銀柱インチ（inHg）または最高２８水銀柱インチ（inHg）の真空に対してシールすることができるように構成することができる。重なり領域内のシールは、最大３００mmHgまたは最大６００mmHgまたは７００mmHgまでの圧力に対してシールすることができるように構成することができる。シールは、管腔部の近位端の遠位であって、シース本体の少なくとも１つの開口部の近位に配置させることができる。
【００１３】
このシステムは、管腔部の外表面上に配置された封止要素をさらに含むことができる。封止要素は、重なり領域内に逓増する直径部または突出特徴部を含むことができる。封止要素は、1つ以上の外部リッジ特徴部を含むことができる。管腔部がシース本体の管腔に挿入されるとき、前記１つ以上のリッジ特徴部を圧縮可能とすることができる。封止要素は、シース本体管腔の内面に対して偏倚された１つ以上の傾斜面を含むことができる。封止要素は、封止するために作業させる１つ以上の拡張可能な部材を含むことができる。シース本体は、頸動脈への挿入に適した外径を有することができる。シース本体の外径は、５Ｆｒと７Ｆｒとの間にすることができる。 
【００１４】
シース本体は、経大腿動脈アプローチから、シース本体の遠位端を内頚動脈の錐体部に配置するのに適した長さを、近位端と遠位端との間に持つことができる。シース本体の長さは、８０ｃｍと１０５ｃｍの間にすることができる。管腔部の長さは、１０ｃｍと２５ｃｍの間にすることができる。カテーテルがシース本体内に引き込まれると、管腔部の重複領域とシース本体の内径との間にシールが残るように、管腔部の長さは、シース本体の長さよりも短くすることができる。
【００１５】
スパインは、シース本体の全長より長くすることができる。管腔部は、内側潤滑ライナー、補強層、および外側ジャケット層を含む３つ以上の層を含むことができる。外側ジャケット層は、遠位管腔部の長さに沿って可撓性を変化させるために、異なるデュロメータ硬度（durometer）、組成および／または厚さを有するポリマーの個別部分から構成することができる。遠位管腔部の外径は、大脳動脈内への移動に合わせて寸法化することができる。遠位管腔部の内径は、０．０４０インチと０．０８８インチの間にすることができる。管腔部の外径を、シース本体の内径に近づけることができ、それにより、カテーテルがシース本体を通って移動することを可能にする一方で、重なり領域に密閉領域を形成する。管腔部の最遠位端部が、管腔部がシース本体とシールする部分の近くで管腔部のより近位の領域と比較してより小さい外径を有するように、カテーテルを遠位開口部に向かうテーパー形状にすることができる。シース本体の遠位端領域は、閉塞要素を含むことができる。シース本体の遠位端領域は、拡張先端チップを含むことができる。管腔からの少なくとも１つの開口部は、シース本体の遠位先端からある距離離れて配置された側方開口部を含むことができる。シース本体の遠位先端部は、カテーテルをシース本体管腔の長手方向軸線から少なくとも１つの開口部を通って外側に向くように構成された傾斜特徴部をさらに含むことができる。 
【００１６】
スパインは、シース本体の全長より長くてもよい。スパインは、０．０１４インチ（０．０１４“）から０．０１８インチ（０．０１８”）の外形寸法を有するワイヤでもよい。スパインは、そこを通って延びるガイドワイヤ通路を有するハイポチューブ（hypotube）であってもよい。スパインは、厚さ０．０１０インチから０．０２５インチの外寸を有するリボンであってもよい。リボンを、円弧の少なくとも一部に沿って湾曲させることができる。スパインは、アクセスシースの長手方向軸の周りで管腔部を回転させるように構成することができる。スパインは管腔部に偏心的に結合することができ、スパインは、管腔部からシース本体の近位端の外側へ、近位方向に延在する。管腔部の近位端は、角度付きカットを有していてもよい。その角度付きカットは、一般的に平面状または湾曲状でもよい。シース本体は、シース本体の遠位端領域に１つ以上の視覚マーカーを有していてもよい。遠位管腔部は、管腔部の遠位端領域、管腔部の近位端領域、またはその両方に１つ以上の視覚マーカーを有していてもよい。シース本体上の１つ以上の視覚マーカーと、管腔部上の１つ以上の視覚マーカーとは、視覚的に区別することができる。スパインは、１つ以上の視覚マーカーを有することができる。スパインの１つ以上の視覚マーカーは、遠位管腔部とシース本体との間の重なりを示すことができる。スパインの視覚マーカーがアクセスシースの一部と位置合わせされる時に、カテーテルとシース本体との間にシールを形成するに必要な最短の重なり長さを有する最も遠位の位置にカテーテルが配置されるように、スパインの１つ以上の視覚マーカーを配置することができる。
【００１７】
このシステムは、遠位先端部を有し、カテーテルの管腔部内に受容されるように寸法決めされた、可撓性の遠位拡張器部をさらに含むことができる。拡張器は、その長さの少なくとも一部に沿った管状要素とすることができる。拡張器は、ユーザーにより賦形されるように構成された可鍛性材料で形成された中実ロッドであってもよい。拡張器は、拡張器部から近位方向に延在する剛直な拡張器スパインをさらに含むことができる。拡張器スパインは、同軸であってもよく、それを通って延びる管腔を有することができる。拡張器スパインは偏心していてもよい。使用時には、拡張器スパインをカテーテルのスパインと並べて整列させることができる。拡張器の遠位先端部は先細形状にすることができる。拡張器は、遠位先端部が管腔部の遠位開口部から突出するように、カテーテルの長さと少なくとも同じ長さを有することができる。スパインの近位端は、アクセスシースを通ってカテーテルを移動させるために、ユーザーが把持できるように構成された把持機構を含むことができる。拡張スパインの近位端は、カテーテルスパイン上の把持機構と係止されるように構成されたタブを含むことができる。カテーテルと拡張器が係止された構成にあるとき、シース本体を通って単一ユニットとしてそれらを前進させることができる。把持機構と拡張器タブは、取り外し可能に結合することができ、係止された構成では、拡張器タブが把持要素に係合し、非係止の構成では、拡張器タブが把持要素から外れる。拡張器タブは、拡張器に固定することができ、および／または拡張器とカテーテルとの間の異なる相対位置に対応するために、拡張器上で摺動可能とすることができる。 
【００１８】
遠位拡張器部は、１つ以上の戻り止めを外面上に含むことができ、該戻り止めは、拡張器部がその中を延在する管腔部の内面上の、対応するように賦形された表面特徴に係止されるように構成されている。拡張スパインとカテーテルスパインとは、同様の剛性とキンク耐性を有することができる。拡張器は、遠位先端部の遠位端および／または近位端に視覚マーカーを有することができる。拡張器の遠位端領域は、より柔軟であり、かつ拡張器の近位端領域に向うに従って剛直になるようにすることができる。カテーテルスパインと拡張器スパインとは、アクセスシースの管腔を通って管腔部の双方向摺動運動を引き起こし、および管腔部を脳血管に進めて治療部位に到達するように構成することができる。
【００１９】
アクセスシースは、シース本体の近位端を近位止血弁に接続するコネクタをさらに含むことができる。近位止血弁は、その上の凝血塊を除去することなくカテーテルを取り外すのに十分な大きさを有するように寸法決めされた調節可能な開口部を有することができる。アクセスシースと共に使用されるとき、カテーテルの剛直なスパインは、アクセスシース管腔を通って管腔部から近位方向に延び、アクセスシースの近位止血弁から出ることができる。コネクタは、シース本体の近位端の吸引ラインへの接続を提供することができる。コネクタは、大口径の管腔を有し、大口径の吸引ラインに接続することができる。吸引ラインは、吸引源に接続することができる。吸引源は、能動吸引源とすることができる。吸引ラインは、前方点滴（forward drip）または洗浄ラインに接続することができる。アクセスシースは近位方向延長部をさらに含むことができ、カテーテルの遠位管腔部がシース本体管腔から引き抜かれるとき、それが近位延長部分内に留まるようにすることができる。管腔部の内径は、管腔部を通って介入デバイスを配置することを可能にするように寸法決めすることができる。 
【００２０】
他の特徴および利点は、例えば本発明の原理を示す様々な実施態様についての以下の説明から明らかになるであろう。 
【図面の簡単な説明】
【００２１】
【図１】図１は、大腿動脈アクセス部位からの急性虚血性脳卒中を治療するために、大脳閉塞にアクセスし、それを除去するためのデバイスのシステムの分解図の一例である。
【図２Ａ】図２Ａは、図１のシステムの構成要素であって、閉塞治療のために経大腿動脈アプローチにより患者の所定の位置に配置されている構成要素を示す。
【図２Ｂ】図２Ｂは、図２Ａのシステムの一部の詳細図であり、円ＢＢに沿った断面図である。
【図３】図３は、経頚動脈アクセス部位を介して使用される、図１のシステムの構成要素を示す。
【図４】図４は、アクセスシースの実施態様を示す。
【図５】図５は、別個の取り外し可能な構成要素として提供される、図４のアクセスシースの近位部の実施態様を示す。
【図６】図６は、図４のアクセスシースを通って近位部に至る流れ抵抗を最小にするためのコネクタの実施態様を示す。
【図７】図７は、閉塞バルーンを有するアクセスシースの実施態様を示す図である。
【図８Ａ】図８Ａは、アクセスシース本体とそれを通って延びるカテーテルの管腔部との間のシーリング要素の実施態様を示す。
【図８Ｂ】図８Ｂは、アクセスシース本体とそれを通って延びるカテーテルの管腔部との間のシーリング要素の実施態様を示す。
【図９】図９は、スパインカテーテルを通して配置されたマイクロカテーテルおよび回収可能なステントデバイスの実施態様を示す。
【図１０Ａ】回収可能なステントデバイス上の拡張可能部の実施態様を示す図である。
【図１０Ｂ】回収可能なステントデバイス上の拡張可能部の実施態様を示す図である。
【図１０Ｃ】回収可能なステントデバイス上の拡張可能部の実施態様を示す図である。
【図１１】図１１は、本明細書に記載のシステムで使用する吸引システムの実施態様を示す。
【図１２Ａ】図１２Ａは、本明細書に記載のシステムで使用するスパイン付きカテーテルシステムの実施態様を示す。
【図１２Ｂ】図１２Ｂは、スパイン付きカテーテルの管腔を通って延びるスパイン付き拡張器を有する図１２Ａのスパイン付きカテーテルシステムを示す。
【図１２Ｃ】図１２Ｃは、アクセスシースの実施態様の側部開口部を通って延在する図１２Ａのスパイン付きカテーテルシステムを示す。
【図１３】図１３は、図１２ＢのＡ−Ａ線に沿った断面図である。
【図１４】図１４は、図１２ＢのＢ−Ｂ線に沿った断面図である。
【図１５Ａ】図１５Ａは、係止された構成における、スパイン付きカテーテルおよびスパイン付き拡張器を有するスパイン付き吸引カテーテル−拡張器システムの実施態様を示す。
【図１５Ｂ】図１５Ｂは、非係止の構成における、スパイン付きカテーテルおよびスパイン付き拡張器を有するスパイン付き吸引カテーテル−拡張器システムを示す。
【図１６】図１６は、脳血管内の塞栓を治療するために、アクセスシースまで遠位方向に延在するスパイン付きカテーテルシステムの実施態様を示す。
【発明を実施するための形態】
【００２２】
現在の急性脳卒中介入処置の主な欠点の１つは、脳への血液灌流を回復させるのに必要な時間である。この時間には、大脳動脈の閉塞部位にアクセスするのに要する時間、および動脈の閉塞を完全に除去するのに要する時間が含まれる。閉塞を完全に除去するためには、多くの場合、複数の試行を行う必要があり、追加の試行のためにデバイスを交換するのに要する時間を短縮するとともに、試行回数を減らすことが、全体の時間を最小限に抑えるための重要な要素である。さらに、各試行は、繊細な脳血管系におけるデバイスの前進に起因する、潜在的な処置リスクに関連している。
【００２３】
本明細書には、脳および頭蓋内動脈の複雑な神経血管系解剖学的構造への安全かつ迅速なアクセスおよび閉塞の除去を可能にする方法およびデバイスが開示されている。この方法およびデバイスは、閉塞を除去するための１つ以上のアクセスデバイス、カテーテル、および血栓摘出デバイスを含んでいる。遠位塞栓を最小化するだけでなく閉塞の除去を容易にする目的で、能動吸引および／または受動的逆流を提供する方法およびデバイスが開示されている。このシステムは、脳脈管構造の特定の血行力学的要求に対処するため、ある程度の流量制御をユーザーに提供する。本明細書に記載されているシステムは、切り換えなしで迅速かつ安全な交換を行うため、１人のオペレータが単一点連続吸引（single-point continuous aspiration）を使用して開示されたシステムを操作することができる点で優れた使い易さを提供する。本明細書に記載のシステムにより得られる吸引力の高い効率は、遠位塞栓屑を減少させ、「ワンパス」血栓切除術の速度を増加させる。 
【００２４】
いくつかの実施形態は、神経血管系解剖学的構造を吸引することに関して具体的に記載されているが、実施形態はそれに限定されず、他の用途にも適用可能であることを理解されたい。例えば、本明細書に記載されている、スパイン付き吸引カテーテルや、アクセスシステムの１つ以上の構成要素を用いて、冠動脈の解剖学的構造または他の血管の解剖学的構造の標的血管へ作業デバイスを送ることができる。本明細書で「吸入カテーテル」という語句が使用されている箇所では、吸引以外の、または吸引に加えて他の目的、例えば、治療部位への流体の送達用として、あるいはガイドワイヤまたは介入デバイス等の他のデバイスの送達または交換を容易にし、案内する導管を提供する支持カテーテルとして、カテーテルを使用できることも理解されたい。あるいは、このアクセスシステムは、脈管構造に限定される必要はなく、脈管構造の外側の身体の他の部分にアクセスするのにも有用である。本明細書を通して、特定の特徴、構造、構成、特徴、あるいは実施態様または実施形態を任意の適切な方法で組み合わせることができることも理解されたい。本明細書全体を通して相対的な用語を使用することで、相対的な位置または方向を示すことができる。例えば、「遠位」は、基準点から離れた第１の方向を示すことができる。同様に、「近位」は、第１の方向と反対の第２の方向における位置を示すことができる。しかし、このような用語は、相対的な基準フレームを確立するために提供されるものであり、以下の様々な実施形態に記載された特定の構成に、アンカー送達システム（anchoring delivery system）を限定することを意図するものではない。
【００２５】
図１は、大腿動脈アクセス部位から急性虚血性脳卒中を治療するために、脳閉塞にアクセスし、それを除去するためのデバイスのシステムを示す。システム１００は、アクセスシース２２０、シース拡張器２５０、ガイドワイヤ２７０、１つ以上のスパイン付き吸引カテーテルまたは支持カテーテル３２０、拡張器３４０、マイクロカテーテル４００、および回収可能なステントデバイス５００を含んでおり、それぞれについては以下に詳細に記載されている。さらに、システム１００は、アクセスシース２２０、１つ以上のシース拡張器２５０、およびシースガイドワイヤ２７０を含む、１つ以上の動脈アクセスシースシステム２００を含むことができる。システム１００は、スパイン付き吸引カテーテルまたは支持カテーテル３２０、テーパー付き拡張器３４０、あるいはカテーテル清掃ツール３５０を含む、１つ以上のスパインカテーテルシステム３００を含むことができる。スパインカテーテルシステム３００は、遠位部位へ拡張到達を提供するための入れ子式スパイン付きカテーテルを組み込むことができる。システム１００は、アクセスシースシステム２００、テーパ付きカテーテルシステム３００、マイクロカテーテル４００、および回収可能なステントデバイス５００を含むことができる。 
【００２６】
図２Ａは、閉塞治療のために経大腿動脈アプローチにより患者の所定の位置に配置されているシステムのいくつかの構成要素を示す。アクセスシース２２０は、大腿動脈挿入部位を通して挿入されることができ、アクセスシース２２０の遠位先端部は内頚動脈ＩＣＡの錐体部またはその近傍に配置される。スパイン付き吸引カテーテル３２０は、動脈の閉塞面に遠位先端部を有するように配置されることができる。いくつかの実施態様では、アクセスシース２２０は、経大腿動脈アプローチではなく、総頸動脈の壁への直接的な穿刺を通して挿入することで、内頸動脈に進入することができる（図３参照）。
【００２７】
詳細な図２Ｂでより明確にわかるように、アクセスシース２２０は、シース本体２２２と、シース本体２２２の近位端と遠位端領域との間に延在する内側管腔２２３を有することができる。カテーテル３２０の遠位端領域がアクセスシース２２０の遠位端領域を越えて延在するように、スパイン付き吸引カテーテル３２０は寸法決めされ、アクセスシース２２０の内側管腔２２３を通して延在する。カテーテル３２０は、図２Ｂに示されており、遠位開口部２２１を通って、シース本体２２２の管腔２２３から出る。しかし、以下に詳細に記載されているように、シース本体２２２は、本体２２２の遠位端領域近傍の１つ以上の側方開口部を有していてもよく、それを通ってカテーテル３２０が延在できる（図１２Ｃ参照）。
【００２８】
まだ図２Ｂについて説明するが、スパイン付き吸引カテーテル３２０は、硬く、耐キンク性を有する近位スパイン３３０に結合された比較的柔軟な遠位管腔部３２２を含むことができる。遠位管腔部３２２は、管腔部３２２の近位端と遠位端との間に延在する内部管腔３２３を有することができる。カテーテル３２０の管腔３２３は第１の内径を有し、アクセスシース２２０の管腔２２３は第２のより大きな内径を有することができる。管腔２２３，３２３は、アクセスシース２２０上のコネクタ２２６を介してシステムに結合された吸引源から吸引すること等により、システムへの流体の流入および／またはシステムからの流体の流出が可能なように、流体的に結合されかつ接触している。シース本体２２２の遠位セクションとカテーテル３２０の管腔部３２２との間の重なり領域１２０は、スパイン付きカテーテル３２０の遠位先端領域から近位シースコネクタ２２６までの連続吸引管腔を可能にするように寸法決めされ、かつ構成されている。シース本体２２２がカテーテル３２０の遠位管腔部３２２が貫通する側方開口部を有する場合、シース本体２２２と管腔部３２２との間の重なり領域１２０に形成されたシールは、側方開口部の近傍に配置されている。
【００２９】
管を通す吸引力に影響を与える主要な寸法は、半径（ｒ）、圧力（Ｐ）、粘度（ｎ）、および長さ（Ｌ）を含み、流量＝Ｑ＝πｒ４（ΔＰ）／８ｎＬである。半径の変化は、その４乗で流量を増加させ、長さは流量に反比例する。以下でより詳細に説明するように、吸引カテーテルは、標的部位に達するのに必要な全距離の一部にオーバーザワイヤ（over-the-wire）部分を有する。この構成は、カテーテルの後退および再前進に要する時間を大幅に短縮する。さらに、本明細書に記載されたシステムは、特に、吸引管腔が吸引カテーテルの全内径に沿って延びる従来のシステムと比較して、凝血塊の吸引のために著しく増大した半径および管腔領域、並びに顕著に短い長さを提供することができる。本明細書に記載のシステムでは、吸引管腔の大部分は処置シース（procedural sheath）の半径を有している。カテーテル３２０はガイドよりも直径が小さいが、アクセスシース２２０の管腔に到達すると管腔の直径が大きくなり、管腔システムの長さの大部分に大きな吸引力を加えることができる。さらに、カテーテル３２０のこの狭い直径領域の全長は、アクセスシースの全長に比べて非常に短い。シース２２０の管腔２２３を通ってカテーテル３２０を前進および後退させるために使用できるように、カテーテル３２０の近位スパイン３３０は、アクセスシースの管腔２２３を通ってシステムの近位端まで延在する長さと構造を有している。しかし、吸引カテーテル３２０のスパイン３３０は、管腔空間の一部のみを塞ぐだけで、システムの吸引のための管腔面積は増加する。吸引のための増加した管腔面積は、閉塞を吸引するのに要する時間を増加させるとともに、１回の吸引試行で閉塞を除去できる可能性を増加させる。マイクロカテーテルまたはテーパー付き拡張器等のデバイスを、スパイン付きカテーテル３２０とアクセスシース２２０の中に同軸的に配置した状態で、管腔直径を増加させても、造影剤、生理食塩水、または他の溶液の前方洗浄のために利用可能な管状領域を増加させる。これにより、デバイスの移動中の血管造影の実施を容易にするとともにその能力を高めることができる。
【００３０】
現在の脳卒中介入は、遠位閉塞が放出されるリスクをもたらす。脳動脈中の血栓閉塞を除去または溶解する努力を行っている間には、例えば、血栓断片化の重大なリスクがあり、それにより閉塞粒子が生成し、その閉塞粒子は下流へと移動して閉塞血管または他の欠陥のいずれかに到達したり、脳灌流を損なう場合がある。頸動脈ステント留置術手順（ＣＡＳ）において、塞栓保護デバイス及びシステムは、塞栓物質が脳血管に入るリスクを低減するために一般的に使用される。このタイプのデバイスは、血管内遠位フィルタ、および逆流または静的フローシステムを含む。残念ながら、迅速な介入の必要性だけでなく、繊細な解剖学的構造とアクセスの課題により、これらのタイプの塞栓保護システムは、急性虚血性脳卒中の介入治療に使用されていない。流れが回復している時の脳卒中介入の期間は、脳が血液で現在灌流されている、重要な時間であると通常考えられている。しかし、それはまた、塞栓リスクのある期間でもある。動脈に閉栓がある間は、流れはない。従って、ガイドワイヤおよび／またはマイクロカテーテルで塞栓を横切ることにより、あるいは閉塞を横切って回収可能ステントデバイスを配置することにより形成されたあらゆる塞栓デブリは、停滞したままである。しかし、動脈に流れが回復した時、塞栓は順方向へ流れて、遠位血管領域へと至る。
【００３１】
塞栓リスクの第２の期間は、回収可能ステントデバイスがガイドまたはカテーテルの中に引っ込んでいるときに発生する。従来の方法及びデバイスでは、回収可能ステントデバイスがカテーテルの中に引っ込んでいる間、中間カテーテルに吸引が適用される、あるいは、カテーテルおよび回収可能ステントデバイスはガイドの中に一緒に引き込まれ、それと同時にガイドカテーテルに吸引が適用される。カテーテルを通るもの、およびガイドを通るものの２点の吸引は、ガイドを通って患者から塞栓を取り出す重要なステップの間、遠位塞栓のリスクを減少させるために、その両方が使用される場合がある。しばしば、２点吸引を可能にするためには、二人の人間が必要である、あるいは、最初にカテーテルから、その後ガイドから連続して吸引を行うが、それらは、吸引の中断または最適ではない吸引をもたらす場合がある。開示されたシステムおよび方法では、デバイスが前進中で流れ回復の重要な時間に、および塞栓が除去されている全時間の間に、単一の吸引点で標的部位に逆流が適用されてもよい。
【００３２】
本開示の一態様では、遠位塞栓からの適切な保護を達成する低いレベルから、塞栓除去のための有効な吸引を提供する高いレベルまで、吸引のレベルを変更してもよい。この態様は、高レベルの血液損失無しで遠位保護を可能とし、さらに塞栓除去に必要な強い吸引力を可能とする。
【００３３】
別の態様では、血栓を除去し、遠位塞栓を最小限にするための手順の間、能動吸引または受動的逆行フローをさらに提供するための、方法とデバイスが開示されている。このシステムは、脳血管の具体的な血行動態の要求に対処するために、ある程度の血流制御をユーザーに提供する。このシステムは、流量コントローラを含み、それは、吸引のタイミングとモードをユーザーが調整することを可能とする。
【００３４】
別の態様では、システム中の塞栓捕捉を最小限にするとともに、使用時のシステム中の粒子の可視化を増大させるための、洗浄工程をさらに提供する方法とデバイスが開示されている。
【００３５】
以下の説明は、開示された本発明の各態様の詳細な実施態様および利点を提供する。
【００３６】
再び、アクセスシース２２０の実施態様を示す図１を参照する。シース２２０は、シース２２０の挿入可能部分であるシース本体２２２（すなわち、患者に挿入する部分）と、近位コネクタ２２６、吸引ライン２３０、近位止血弁２３４、および洗浄ライン２３６を含んでいる。シース２２０は、近位延長部２４０を含んでもよく、またアクセスシース２２０の近位部２４０からシース本体２２２を流体的に隔離するコネクタ２２６上のバルブを含んでもよい。アクセスシース２２０は、１つ以上の拡張器２５０と、シースガイドワイヤ２７０とのキットであってもよい。
【００３７】
シース本体２２２の直径は、頚動脈への挿入に適しており、塞栓を治療するためにカテーテルに通路を提供するように好適に寸法決めされた内側管腔２２３を有している。一実施態様では、シース本体２２２は、５フレンチシースサイズに対応する、内径が約０．０７４インチ（０．０７４“）、外径が約０．０９０インチ（０．０９０”）のもの、６フレンチシースサイズに対応する、内径が約０．０８７インチ（０．０８７“）、外径が約０．１０４インチ（０．１０４”）のもの、または７フレンチシースサイズに対応する、内径が約０．１００インチ（０．１００“）、外径が約０．１７７インチ（０．１７７”）のものである。シース本体２２２の長さは、シース本体２２２の遠位先端をできるだけ遠位の内頚動脈の錐体部分に配置できるように構成されている。一実施態様では、シース本体２２２の長さは、経大腿動脈アプローチに適しており、８０〜９０ｃｍの範囲、または約１００ｃｍまで、または約１０５ｃｍまでの長さである。一実施態様では、シース本体２２２の長さは、錐体部ＩＣＡへの経頸動脈アプローチに適しており、２０〜２５ｃｍの範囲である。一実施態様では、シース本体２２２の長さは、ＣＣＡまたは近位ＩＣＡへの経頸動脈アプローチに適しており、１０〜１５ｃｍの範囲である。シース本体２２２は、血管系の屈曲部を想定して移動するとともに、キンク、崩壊または血管外傷を引き起こすことなく、高い吸引力を受けることができるように、構成されている。
【００３８】
シース本体２２２は、２つ以上の層で構成することができる。内側ライナーは、内側管腔を通ってデバイスを前進させるための滑らかな表面を提供するために、ＰＴＦＥ（ポリテトラフルオロエチレン）またはＦＥＰ（フッ素化エチレンプロピレン）等の低摩擦ポリマーで構成することができる。外側ジャケット材料は、内側ライナーに機械的一体性を提供することができ、例えば、ＰＥＢＡＸ、熱可塑性ポリウレタン、ポリエチレン、ナイロン等の材料から構成されてもよい。第３の層を組み込むこともでき、内側ライナーと外側ジャケットとの間を補強することができる。補強層は、シース本体２２２の内側管腔の平坦化やよじれを防止することができ、これにより、吸引または逆流だけでなく、血管の屈曲部を通って円滑にデバイスのナビゲーションも行うことができる。シース本体２２２は、周方向に補強されてもよい。補強層は、ステンレス鋼、ニチノール、ニチノール組紐、ヘリカルリボン、ヘリカルワイヤ、カットステンレス鋼等の金属、またはＰＥＥＫ等の剛性ポリマーから作製することができる。補強層は、コイルまたは組紐、または可撓性を持つように、レーザ切断または機械切断されたチューブ等の構造を有することができる。別の実施態様では、補強層は、ニチノールのハイポチューブまたは切断硬質ポリマー等の切断ハイポチューブであってもよいです。
【００３９】
シース本体２２２の可撓性は、その長さ方法に亘って変化させることができ、シース本体２２２の遠位部に向かって可撓性を増加させることができる。可撓性を変化させることは様々な方法で達成することができる。例えば、外側ジャケットは、様々な部分で、デュロメータ硬度および／または材料を変更することができる。低いデュロメータ硬度の外側ジャケット材料は、シースの他の部分に比べて、シースの遠位部分に使用することができる。または、可撓性を増加させるために、ジャケットの壁の厚さを薄くしたり、および／または補強層の密度を変更することができる。例えば、コイルまたは編組のピッチを伸ばしてもよいし、チューブ内のカットパターンを、より柔軟になるように変更することもできる。また、補強構造または補強材料が、シース本体２２２の長さに亘って変化してもよい。一実施態様では、最遠位部分は、曲げ剛性（Ｅ＊Ｉ）の範囲が５０〜３００Ｎ−ｍｍ２であり、シース本体２２２の残りの部分の曲げ剛性が５００〜１５００Ｎ−ｍｍ２であり、Ｅは弾性係数であり、Ｉはデバイスの面積慣性モーメントである。別の実施態様では、最遠位の可撓性部分と近位部分との間の移行部分があり、最遠位部分とシース本体２２２の残りの部分との間に１つ以上の可撓性が変化する部分を備えている。この実施態様では、最遠位部分は約２ｃｍから約５ｃｍであり、移行部分は約２ｃｍから約１０ｃｍであり、近位部分はシース長さの残りを占める。
【００４０】
シース本体２２２の先端は、１つ以上の遠位の放射線不透過性マーカー２２４を含むことができる（図１参照）。一実施態様では、放射線不透過性マーカー２２４は、例えば白金イリジウム合金である金属バンドであり、シース本体２２２の遠位端近傍に埋め込まれている。あるいは、アクセスシースの先端材料は、別個の放射線不透過性材料でもよく、例えば、バリウムポリマーブレンドまたはタングステンポリマーブレンドである。シース本体２２２の遠位領域は、カテーテル３２０とシース本体２２２との間のシールを可能にし、連続吸引管腔を形成する重なり領域１２０の範囲でもある。したがって、吸引カテーテル３２０の管腔部３２２の外径は、シールが形成されるように、シース本体２２２の管腔２２３の遠位領域の内径に近づく。形成されるシールの相対的な位置は、以下でより詳細に説明するように、吸引カテーテル３２０が、どこでシース本体２２２の管腔２２３から出るか、およびシース本体２２２からの開口部の位置に依存して変化し得る。シース本体２２２が遠位端に開口部を有する場合には、シース本体２２２が、シース本体２２２の遠位端領域に、それを通ってカテーテル３２０が管腔２２３から出ることのできる１つ以上の側方開口部を有する場合に比べて、シールの位置をシース本体２２２の遠位端により近くなるようにしてもよい。
【００４１】
再び図１を参照すると、アクセスシース２２０は、コネクタ２２６も含むことができ、そのコネクタは、シース本体２２２の近位端を近位止血弁２３４に接続し、また吸引ライン２３０との接続も提供する。このコネクタ２２６は、大口径の管腔を有し、大口径の吸引ライン２３０に接続する。一実施態様では、コネクタ２２６の管腔は、少なくとも０．０８０インチである。一実施態様では、吸引ライン２３０の管腔は、少なくとも０．０８０インチである。吸引ライン２３０は、吸引源への接続を可能にするストップコック、雌ルアーコネクタ、または他のコネクタ２３２で終端することができる。一実施態様では、吸引源は、注射器またはポンプ等の能動吸引源である。別の実施態様では、吸引源は、米国特許第８，１５７，７６０号および米国特許出願公開第２０１０／０２１７２７６号に記載されているような逆流シャントラインであり、その両方は出典明示により本明細書に組み入れられる。大口径の吸引ライン２３０は、崩壊に対する耐性を有するように構成することができる。例えば、吸引ライン２３０は、厚肉ポリマーチューブまたは強化ポリマーチューブとすることができる。吸引ラインバルブ２３２は、ライン２３０の開閉を可能にする。一実施態様では、バルブ２３２は、造影剤注入または生理食塩水注入のための前方点滴または洗浄ラインへ接続するための、１つ以上の追加の流体ラインへの接続も可能とする。一例として、バルブ２３２は、複数接続を可能にするために、介入手順で一般的に使用されるストップコックマニホールドであってもよい。コネクタ２２６は、処置中にシースの抜けのリスクを減らすために、患者にアクセスシース２２０を固定するための手段を含むことができる。例えば、コネクタ２２６は、１つ以上の縫合糸アイレット２３３を含むことができる。
【００４２】
また図１を参照すると、アクセスシース２２０の近位端は、近位止血弁２３４で終わることができる。このバルブ２３４は、血液損失を防止および最小限に抑えるとともに、アクセスシース２２０内への空気の侵入を防止しながら、シース２２０を通って血管内へデバイスを導入することを可能とする。近位止血弁２３４は、所望の手順の間、シース２２０が生理食塩水または放射線不透過性造影剤で洗浄できるように、洗浄ライン２３６または洗浄ライン２３６への接続部を含むことができる。止血弁２３４は、静的シール型能動バルブ、またはトーイボーストバルブまたは回転止血弁（ＲＨＶ）でもよい。止血弁２３４は、アクセスシース２２０と一体化することができる、あるいはアクセスシース２２０は、受動シールバルブ、トーイボーストバルブまたは回転止血弁等の別個の止血弁２３４部品を取り付けることができるメス型ルアーアダプタの中の近位端で終わらせてもよい。一実施態様では、バルブ２３４は調節可能な開口部を有し、該開口部は、除去中にバルブ２３４で凝血塊が除去されることのないように、先端に凝血塊が付着したデバイスを移動させるのに十分な大きさを有している。あるいは、バルブ２３４は、取り外し可能であり、バルブ２３４で凝血塊が除去されるのを防止するため、カテーテルの先端部がシース２２０から取り外される時に取り外される。
【００４３】
再び図１を参照すると、動脈シースシステム２００は、１つ以上のシース拡張器２５０とシースガイドワイヤ２７０を含むことができる。微小穿刺技術または改良セルディンガー技術等の標準的な血管アクセス技術を用いて動脈内にシースガイドワイヤ２７０を最初に挿入することができる。シース拡張器２５０は、動脈壁内の穿刺部位を通る、アクセスシース２２０の円滑な挿入を可能にする。拡張器２５０は、アクセスシース２２０に挿入することができ、次いで、シースガイドワイヤ２７０に沿って、その２つの要素が一緒に動脈内に挿入される。拡張器２５０の遠位端２５６は、動脈壁を通って動脈に挿入される時に、拡張器２５０が針穿刺部位を拡張できるように、一般的に、テーパー形状を有することができる。テーパー形状の遠位端２５６は、Ｒ形状の先端であって、一般に６〜１２度の間の全刃先角（拡張器の長手方向軸に対して）を有することができる。
【００４４】
拡張器２５０の管腔は、シースガイドワイヤ２７０に対応することができ、シースガイドワイヤ２７０の０．０３５インチ〜０．０３８インチに対応して、０．０３７インチ〜０．０４１インチの内径を有することができる。あるいは、拡張器２５０の管腔は、シースガイドワイヤ２７０の０．０１４インチ〜０．０１８インチに対応して、０．０２０インチ〜０．０２２インチでもよい。あるいは、拡張器２５０は、内側拡張器と外側拡張器を有する２つの部分の拡張器であってもよい。外側拡張器は、０．０３７インチ〜０．０４１インチの間の内径を有することができ、内側拡張器は、０．０２０インチ〜０．０２２インチの間の内径を有することができる。使用時には、シース２２０は、０．０３５インチ〜０．０３８インチの間のシースガイドワイヤ２７０を備えた外側拡張器とともに動脈内に挿入することができる。次に、シースガイドワイヤ２７０は除去され、内側拡張器と０．０１４インチ〜０．０１８インチの間のより小さなガイドワイヤとに置き換えられ、次に、頚動脈内の所望の部位へとさらに遠位方向にアクセスシース２２０を前進させることができる。
【００４５】
シースガイドワイヤ２７０に沿って動脈の中に最初に動脈シース２２０を挿入するためには、動脈穿刺部位に適切な拡張力を与えるため、拡張器のテーパー２５６は、所定の剛性とテーパー角を持つことができる。しかし、安全にＩＣＡの錐体部分に到達するために、初期の動脈アクセスに使用されるものよりも、遠位端においてより柔軟および／またはより長いテーパーを有するシース拡張器２５０を有することが望ましい。一実施態様では、アクセスシースシステム２００は、２つ以上のテーパー付き拡張器を含むことができる。第１のテーパー付き拡張器は、動脈内へ進入するために、動脈アクセスデバイスと共に用いることができ、それにより、標準的なイントロデューサシース拡張器と同様の方法で寸法決めと構成を行うことができる。テーパー付き拡張器に使用できる材料例として、例えば、高密度ポリエチレン、７２Ｄ  ＰＥＢＡＸ、９０Ｄ  ＰＥＢＡＸ、または同等の剛性および潤滑性を有する材料を含む。第２のテーパー付き拡張器は、第１のテーパー付き拡張器の遠位部分に比べて低い曲げ剛性、および／または長いテーパー長さを有する柔軟な遠位部分または遠位部分を有していてもよい。すなわち、第２の拡張器は、第１の拡張器の対応する遠位領域に比べ、より柔軟で、より可撓性で、またはより容易に間接接合し、またはより容易に曲がる遠位領域を有している。よって、第２の拡張器の遠位領域は、第１の拡張器の対応する遠位領域よりも容易に曲がる。一実施態様では、第１の拡張器の遠位部は、５０〜１００Ｎ−ｍｍ２の範囲の曲げ剛性を有し、第２の拡張器の遠位部は、５〜１５Ｎ−ｍｍ２の範囲の曲げ剛性を有する。第２の拡張器の柔軟な遠位部により血管上に過度の力または外傷が生じることなく、内頸動脈の中および動脈の湾曲部に沿って前進させることができるように、第２の拡張器（低曲げ剛性の遠位部を有する）は、最初の第１の拡張器と交換することができる。
【００４６】
柔軟な、第２の拡張部の遠位部は、例えば３５または４０Ｄ  ＰＥＢＡＸでもよく、例えば７２Ｄ  ＰＥＢＡＸから成る近位部を備えていてもよい。柔軟な遠位部と硬い近位部との間のスムーズな移行を提供するために、中間中央部または中間中央部群が、第２の拡張器上に含まれてもよい。一実施態様では、両方の拡張器は、０．０３７インチ〜０．０４１インチの間の内径を有する。別の実施態様では、第１の拡張器は０．０３７インチ〜０．０４１インチの間の内径を有し、第２の拡張器は０．０２０インチ〜０．０２２インチの間の内径を有する。さらに別の実施態様では、第２の拡張器は、上述のような、内側拡張器および外側拡張器を有する２つの部分からなる拡張器である。一実施態様では、一方または両方の拡張器は、拡張器の先端位置がＸ線透視法で見えるように放射線不透過性の先端マーカー２２４を有していてもよい。一変形例では、放射線不透過性マーカー２２４は、拡張器の遠位先端部に熱溶着されたタングステン担持のＰＥＢＡＸまたはポリウレタン部分である。遠位先端部に放射線不透過性マーカー２２４を形成するために、他の放射線不透過性材料を同様に用いてもよい。
【００４７】
一実施態様では、アクセスシース２２０は、コネクタ２２６と近位止血弁２３４との間に延在する近位延長部２４０を含んでいる。システムの経頸動脈構成では、アクセスシース２２０の遠位先端部から離れる方向に近位止血弁２３４を移動させることが望ましく、挿入可能なシース本体部２２２の長さを維持しながら、身体の外にあるアクセスシースの近位部を効果的に伸ばしたりまたは長くすることができる。これにより、ユーザーは、標的部位から遠く離れた場所から、それ故、Ｘ線透視法で標的を画像化するために用いられるＸ線源および／または画像増強器（image intensifier）から離れた場所から、アクセスシース２２０の近位止血弁２３４の中へデバイスを挿入できるので、ユーザーの手および彼または彼女の全身に対する放射線被曝を最小限に抑えることができる。本実施態様では、近位延長部２４０を１０〜２５ｃｍの範囲、または１５〜２０ｃｍの範囲にすることができる。経頸動脈または経大腿動脈のいずれの構成でも、アクセスシース吸引ラインに流体的に接続されているアクセスシース２２０の部分を設けることが望ましいが、これは吸引ライン接続部から近位方向に延在してもよい。これにより、ユーザーは、アクセスシース２２０からデバイスを完全に取り外すことなく、シース先端部から吸引ラインへの血液の流れからデバイスを引き出すことができる。
【００４８】
別の実施態様では、シース本体２２２からこの近位部２４０を断続的に分離することも望ましい。一実施態様では、図４に示すように、コネクタ２２６は、シース本体２２２と、吸引ライン２３０、近位延長部２４０および近位止血弁２３４を含むアクセスシース２２０の近位部２４０との間の流体接続を閉鎖するバルブ２４２を含んでいる。これにより、シース２２０から動脈出血させることなく、カテーテル、回収ステントデバイス、または他の血栓除去デバイスの遠位部をこの近位延長部２４０の中に引き込むこと、シースの近位部からシース本体２２２を流体的に分離するためにバルブ２４２を閉鎖すること、次いで近位止血弁２３４を広く開放するまたは取り外すこと、あるいはシース２２０の全ての近位延長部２４０を取り外すこと、が可能となる。シース２２０からカテーテル３２０を完全に取り外すために、近位止血弁２３４を広く開放する前に、遠位管腔部３２２が近位延長部２４０の中に完全に引き込まれ、バルブ２４２が閉鎖されるように、近位延長部２４０は、スパイン付きカテーテル３２０の遠位管腔部３２２と少なくとも同じ長さを有することができる。
【００４９】
また、血栓除去デバイスまたは他の介入デバイスがこの近位延長部２４０内に引き込まれ、シース本体２２２がバルブ２４２で閉鎖された後、血栓除去デバイスの一部、例えば吸引カテーテル３２０の遠位管腔部３２２は、近位延長部２４０の中に残ってもよく、そしてアクセスシース２２０からデバイス３２０を完全に取り外すことなく凝血塊を除去するために、洗浄ラインから吸引ラインへの流れを作ることにより、洗浄または清掃される。血栓除去デバイスを完全に取り外すことなく血栓除去デバイスを洗浄および清掃するというこの能力により、血栓除去処置の間の工程中の出血、時間、および空気塞栓のリスクを減少させることができる。また、洗浄および清掃している間、シース本体２２２から血栓除去デバイスを完全に取り外すことなく、近位延長部２４０の中に血栓除去デバイスを引き込むことで、デバイスの洗浄に起因する血液やデブリに対するオペレータやスタッフの接触リスクを最小限に抑えることができる。これらの実施態様のいずれにおいても、洗浄液、および塞栓デブリまたは空気の存在／非存在がチューブを通して視認できるように、近位延長チューブは透明である。
【００５０】
アクセスシース２２０の近位延長部２４０は、近位端に標準接続で任意のシースに取り付けることができる、別個の、取り外し可能な部材として提供できる。図５に示すように、近位部材２８０は、標準シース１０の近位ハブ１５に接続できるコネクタ２８５を含む。接続された部材は、アクセスシース２２０の構成と特徴を有するアセンブリを形成する。
本実施態様では、ユーザーは、手順に対して適切な長さ、形状、および機械的特徴を有するいくつかの利用可能なシースから選択することができ、本開示に記載された手順の工程を実施することができる。取り外し可能な近位部材２８０は、吸引ライン２３０と洗浄ライン２３６をそれぞれ終端させるバルブコネクタ２３２と２３８とともに、Ｙ字アームコネクタ２２６、吸引ライン２３０、近位延長部２４０、近位止血弁２３４および洗浄ライン２３６を含むことができる。コネクタ２８５は、シース２２０の近位コネクタ２２６に接続することができる。図６に示す一実施態様では、コネクタ２８５は、シース１０を通り、近位部２８０に入る流れ抵抗を最小限にするように構成されている。例えば、標準的なオスメスのルアー接続に代えて、コネクタ２８５は、管腔と、シースによくみられる標準メス型ルアーコネクタ６２に合う面とを有するアダプター６０、そのアダプター６０とシースメス型ルアー６２との間をシールするシール部材６４、および回転ナット６６とを含み、該回転ナットは、シール６４が圧縮されると、流体、空気真空および圧力に対してシールすることができるように、メス型ルアー６２のネジ部分と係合し、アダプター６０とルアー６２とを一体となるように接続している。再び図５に戻ると、近位部材２８０がシース１０に接続された場合に、シース１０との流体接続を近位部が選択的に開放または閉鎖できるように、近位部材２８０はＹ字アームコネクタ２２６上にバルブ２４２を含んでもよい。シース吸引ライン２３０を吸引源に接続するコネクタ２３２についても、同様のタイプの接続を行うことができる。
【００５１】
好ましい実施態様では、近位接続は、全長約３４ｃｍに対して、長さ約２２ｃｍの近位延長部、約７センチのＹ字アームコネクタ、および長さ約５ｃｍの近位止血弁を有している。
【００５２】
手順の一部において、塞栓の順行性流動を阻止するために、介入時に頸動脈を一時的に閉塞することが望ましい場合がある。一実施態様では、図７に示すように、アクセスシース２２０は、シース本体２２２の遠位先端部に閉塞バルーン２４６を含んでいる。シース本体２２２内の追加の管腔は膨張ライン２４８に接続でき、バルーン２４６を膨張ライン２４８に流体接続する。閉塞バルーン２４６を膨張させるため、膨張ライン２４８に膨張デバイスが接続される。本実施態様では、頸動脈の閉塞が必要な場合、バルーン２４６を膨張させる。
【００５３】
いくつかの例では、動脈穿刺の直径を最小限に抑制するために、シース挿入の際にはシース先端部をできるだけ小さく維持する一方、血管へ挿入後は、シース２２０の開口部を拡張することが望まれている。この機能の少なくとも１つの目的は、吸引カテーテル３２０を引き戻す時または他の血栓除去デバイスをシース２２０に引き込む時、遠位閉塞の影響または生成を最小限に抑制することである。血栓除去手順の間、血栓を捕捉したデバイス上のシース２２０の遠位開口部２２１内に血栓が「引き戻される」場合がある。シース２２０の遠位先端部がその最初の大きさに比べて拡大されているか、または漏斗状に広がっている場合、血栓片が断片化され塞栓を引き起こす可能性が最小化される。何故なら、シース先端部の寸法が大きい場合または漏斗状の形状の場合、塞栓は多数片に分裂することなく、その中に引き込まれる可能性が大きくなるからである。このことは、患者に対してより好ましい臨床結果をもたらす。アクセスシースの一実施態様では、シース２２０が動脈内に挿入され、所望の位置に配置された後で、先端部が拡大できるように、シース本体２２２の遠位部は、材料および／または構造が選定される。一実施態様では、ＩＤが約０．０８７インチシースである遠位領域は、約０．１００インチ〜０．１２０インチの直径に拡大でき、寸法は変化してもおよび／またはフレア状でもよい。
【００５４】
拡張する遠位先端部の構成例は、拡張するために収縮させることのできる、被覆された編組先端部を含む。拡張する遠位先端部の別の例は、束縛のない場合には機械駆動または弾性バネにより開く、傘またはその類似構造物である。直径が拡張可能な他の機構は公知である。１つの具体的な実施態様は、高圧バルーンを用いて拡張した時に変形可能な材料からなるシースである。２０１４年１２月１９日に出願された同時係属中の米国特許公開第２０１５／０１７３７８２号には、例示的なデバイスが記載され、その全体は出典明示により本明細書に組み入れられる。この特徴の構成は、同時係属中の公開第２０１５／０１７３７８２号に記載されている。
【００５５】
シース本体２２２の遠位端領域では、開口部の位置、大きさ及び数を変えることもできる。シース本体２２２には、シース２２０の遠位端領域の近くに１つ以上の開口部を組み込むことができ、該開口部は、シース本体２２２の管腔２２３と、シース２２０がその中に配置される血管との間に流体が流れることを可能とする。前記１つ以上の開口部は、吸引カテーテル３２０の管腔部３２２がそれを通って延在できるように寸法決めすることができる。前記１つ以上の開口部は、前記１つ以上の開口部が、シース本体２２２の遠位端領域に細長い口、溝（slot）、または切れ込み（notch）を形成できるように、管腔部３２２の外径よりも大きくなるように寸法決めすることができる。前記１つ以上の開口部は、該開口部が、シース本体２２２の遠位端から、少なくとも０．２５ｍｍ、０．５ｍｍ、１．０ｍｍ、１．５ｍｍ、２．０ｍｍ、２．５ｍｍ、３．０ｍｍ、３．５ｍｍ、または４．０ｍｍまたはそれ以上離れて位置するように、遠位端の直ぐ近傍のシース本体２２２の側壁の領域内に形成することができる。前記１つ以上の開口部は、シース本体２２２の遠位端領域の近傍に多孔質領域を形成する複数の開口部であってもよく、前記複数の開口部の少なくとも１つは、システムの１つ以上の部材が、シース本体２２２の管腔２２３から出ることができる十分な大きさを有するように寸法決めされている。いくつかの実施態様では、前記１つ以上の開口部は、シース本体２２２の管腔２２３からの遠位開口部２２１を含んでいる（図４および図１２Ｃを参照）。いくつかの実施態様では、前記１つ以上の開口部は、細長い遠位口を含み、該遠位口は、シース本体２２２の第１の面上に遠位端領域の近傍に位置する側方開口部１２１９を形成する（図１２Ｃを参照）。側方開口部１２１９は、シース本体２２２の遠位端から少なくとも０．２５ｍｍ以上離れて配置することができる。側方開口部１２１９は、スパイン付きカテーテル３２０の遠位管腔部３２２の外径と少なくも同じ直径を有することができる。好ましくは、側方開口部１２１９は、遠位管腔部３２２の外径の少なくとも１．５倍、２倍、２．５倍、または３倍の大きさの直径を有する。別の実施態様では、シース本体２２２は、遠位端領域の近傍に、シース本体２２２の対向する、および／または隣接する面の上に一対の側方開口部１２１９を含んでいる。別の実施態様では、シース本体２２２は、管腔２２３からの遠位開口部２２１と、管腔２２３からの１つ以上の細長い側方開口部１２１９を含んでいる。シース２２０の長手方向軸Ａに対して所望の方向に、側方開口部１２１９からのカテーテル３２０の遠位拡張が可能となるように、前記１つ以上の開口部１２１９の配置がなされるべく、シース本体２２２が長手方向軸Ａの周りを回転可能であることを理解されたい。広口の側方開口部１２１９の導入は、カテーテル３２０の出口角度の範囲を、実質的に（すなわち、ほとんど）シース本体２２２に平行な位置から、シース本体２２２に対して角度を有する位置、例えば、９０度よりも大きな角度だけでなく、シース本体２２２に対して実質的に垂直または直角な位置へ変化させることができる。横切られる血管内に厳しい角形状（angulation）がある場合、あ��いは分岐が存在する場合、のような状況では、この配置が非常に重要になる場合がある。しばしば、血管内の曲がりくねった部分や分岐は、９０度まで、あるいはそれより大きく１８０度まで、の厳しい角形状を有している。血管系における代表的な厳しい角形状点は、大動脈腸骨接合、大動脈からの左鎖骨下動脈分岐、上行大動脈からの腕頭（無名）動脈分岐、並びに多くの他の周辺位置を含むことができる。
【００５６】
再び図１を参照すると、上述したように、カテーテルシステム３００は、可撓性の遠位管腔部３２２と、剛性の近位スパイン３３０を有するスパイン付き吸引カテーテル３２０を含むことができる。剛性のスパイン３３０と対をなす管腔部３２２の可撓性および潤滑性だけでなく、遠位管腔部３２２の外径は、心臓血管系を移動できるように構成された他のシステムと比較して、スパイン付き吸引カテーテル３２０が脳血管における閉塞部位に移動することを可能にする。本明細書に記載されたシステムは、長く、曲がりくねったアクセス経路を有する解剖学的構造の領域内の塞栓に到達することができる。その経路は、大動脈弓血管、頸動脈血管および腕頭血管に起因する狭窄プラーク物質を含む場合があり、塞栓合併症のリスクがある。さらに、脳血管は、通常、冠状動脈または他の末梢血管系よりも繊細で、かつ穿孔を起こし易い。本明細書中に記載のカテーテルシステムは、これらのアクセスの課題を克服する能力を有しているので、より容易に神経血管介入手順を提供できる。本明細書に記載のカテーテルシステムは、屈曲部を押し通すのではなく、屈曲部を移動（ナビゲート）するように設計されている。２０１４年１２月１２日に出願された米国特許出願公開第２０１５／０１７４３６８号、および２０１４年１２月１９日に出願された米国特許出願公開第２０１５／０１７３７８２号は、出典明示により本明細書に組み入れられ、大脳動脈の屈曲した解剖学的構造をナビゲートできるカテーテルデバイスの特徴を記載している。
【００５７】
遠位管腔部３２２の長さは変えることができる。いくつかの実施態様では、遠位管腔部３２２の長さは、アクセスシース本体２２２の遠位先端部の近傍領域から頸動脈の閉塞部位へと延び、アクセスシース２２２の遠位端と近位重なり領域１２０を形成する（図２Ｂを参照）。閉塞部位と、アクセスシースの遠位先端部が配置されている部位の変動を考慮すると、遠位管腔部３２２の長さは、約１０ｃｍ〜約２５ｃｍの範囲が可能である。遠位管腔部３２２の長さは、アクセスシース２２０のシース本体２２２の長さ未満であり、スパイン付き吸引カテーテル３２０はシース本体２２２の中に引っ込むので、スパイン付き吸引カテーテル３２０の重なり領域３２８と、シース本体２２２の内径との間にはシールが残る。
【００５８】
本明細書のカテーテルシステムは、屈曲した解剖学的構造の中への拡張到達を可能とするために互いに入れ子にされた複数のスパイン付きカテーテルを組み込むことができる。例えば、シース本体２２２の管腔内に受け入れ可能に寸法決めされた外径を有する第１のスパイン付きカテーテル３２０は、そのスパイン付きカテーテル３２０の内部管腔を通って延在する第２のスパイン付きカテーテル３２０を有してもよい。第２のスパイン付きカテーテル３２０は、より小さい直径を有するその第２のスパイン付きカテーテル３２０が、血管のより遠位領域、特により狭い寸法のその領域に到達できるように、その近位スパインを用いて、第１のスパイン付きカテーテル３２０の遠位端を超えて延在させることができる。この実施態様では、第１のスパイン付きカテーテル３２０は、第２のスパイン付きカテーテル３２０の支持体として機能する。第２のスパイン付きカテーテル３２０は、シース本体２２２の内部管腔と流体的に連通し連続する吸引管腔を形成する、第１のスパイン付きカテーテル３２０の内部管腔、と流体的に連通する内部管腔を有する。
【００５９】
一実施態様では、カテーテル３２０の遠位管腔部３２２は、標的部位に安全に移動できるように、柔軟で滑らかであり、そして高い吸引力を受けた時に凝血塊を効果的に吸引できるように、キンク抵抗と圧壊抵抗を有するように構成され、遠位端に向かって可撓性が増加する複数の部分を有する。一実施態様では、遠位管腔部３２２は、内側潤滑性ライナー、補強層、および外側ジャケット層を含む３層以上を含む。外側ジャケット層は、遠位管腔部３２２の長さに沿って可撓性を変化させるために、異なるデュロメータ硬度、組成、および／または厚さを有するポリマーの個別部分（discreet sections）から構成されてもよい。一実施態様では、内側潤滑性ライナーは、可撓性の異なる部分に沿って１つ以上の厚さ部分を有するＰＴＦＥライナーである。一実施態様では、補強層は、例えば巻回リボンまたはワイヤコイルまたは組紐で形成されたほぼ筒状の構造体である。補強構造の材料は、ステンレス鋼、例えば３０４ステンレス鋼、ニチノール、コバルトクロム合金、あるいは強度、可撓性、および破損抵抗の所望の組み合わせを提供する他の金属合金でもよい。一実施態様では、補強構造は、また遠位管腔部３２２の長さに沿って可撓性が変化するように、複数の材料および／または構成を含んでもよい。一実施態様では、カテーテル３２０の外面が親水性コーティング等の潤滑性コーティングで被覆されている。いくつかの実施態様では、トラッキング（tracking）時の摩擦を減らすために、内面上および／または外面上にコーティングがあってもよい。コーティングは、公知の様々な材料を含んでもよい。アクセスシース２２０を通るトラッキングを向上させるために、スパイン部に被膜が形成されてもよい。適切な潤滑性ポリマーは公知であり、シリコーン等、高密度ポリエチレン（ＨＤＰＥ）のような親水性ポリマー、ポリテトラフルオロエチレン（ＰＴＦＥ）、ポリアリーレンオキシド、ポリビニルピロリドン、ポリビニルアルコール、ヒドロキシアルキルセルロース誘導体、アルギン、糖類、カプロラクトン等、およびそれらの混合物および組み合わせを挙げることができる。好適な潤滑性、接着性、および溶解性を有するコーティングを得るために、親水性ポリマーを、それら同士で、または配合量の水不溶性化合物（いくつかのポリマーを含む）とブレンドしてもよい。
【００６０】
遠位管腔部３２２の外径は、脳動脈内へ移動できるように寸法決めすることができる。カテーテルは、吸引力を最適化するために、閉塞部位に安全に移動することができるように可能な限り大きい内径を有することが望ましい。内径の適切な寸法は、患者の解剖学的構造と凝血塊と組成に応じて、０．０４０インチ〜０．０７５インチの間、または０．０４０インチ〜０．０８８インチの間の範囲とすることができる。カテーテル３２０の機械的完全性を維持しながら、外径はできるだけ小さくする必要がある。しかしながら、シース２２０を通ってカテーテル３２０を容易に挿入できるようにするとともに、所望の部位にカテーテル３２０を配置できるようにしながら、重なり領域１２０にシール領域を形成するために、重なり領域１２０では、カテーテル３２０の外径（ＯＤ）がアクセスシース２２０の内径（ＩＤ）に近付いている。一実施態様では、カテーテル３２０とアクセスシース２２０は、カテーテル３２０の外径を変化させることなく、重なり領域１２０で適合できるよう寸法決めされている（図２Ｂ参照）。一実施態様では、重なり領域でのカテーテルＯＤとアクセスシースＩＤとの間の差は、０．００２インチ以下である。別の実施態様では、その差は０．００３インチ以下である。一実施態様では、カテーテルがアクセスシースをシールする場所の近傍で、カテーテルの最遠位端がカテーテルのより近位領域と比べてより小さな外径を有するように、前記カテーテルは前記遠位開口部に向かうテーパー形状を有する。別の実施態様では、カテーテルＯＤは、シースの内径とより密に適合するために、重なり部３２８でより逓増している（図１参照）。この実施態様は、単一のアクセスシースサイズで使用するのに適した複数のカテーテルを用いるシステムでは特に有用である。スパイン付きカテーテル３２０のカテーテルＯＤが、シース内径と適合する、あるいは差が０．００２インチ以下である場合、カテーテルＯＤを増加させる必要なしに、注入または吸引される流体に対するシールが重なり部３２８により達成可能であることを理解されたい。カテーテルとシースの間で注入または吸引される流体に対するシールは、別のシール構造またはシール機能を組み込むことなく、カテーテルとシースの実質的に同じ寸法同士の重なりにより達成可能である。
【００６１】
図８Ａと図８Ｂに示す別の実施態様では、遠位管腔部３２２の近位端の外表面上に配置されたシール要素３３６がある。シール要素３３６は、１つ以上の外部リッジ（ridge）特徴部とすることができ、アクセスシース２２０の管腔内にカテーテル３２０が挿入されると圧縮されることが可能である。そのリッジ形状は、シール要素３３６が、Ｏリング、クアッドリング、または他のピストンシール構造として振る舞うような形状とすることができる。図８Ｂは同様の構成を示し、シール要素３６６は、傾斜面がアクセスシース本体２２２の内面に対して付勢されるように構成されたワイパーシール構成を有している。あるいは、シール要素３３６は、カテーテル３２０が所望の部位に配置された後でも、膨張可能または拡張可能で、２つのデバイス間をいつでもシールすることができる、バルーンまたは被覆組紐構造等の膨張可能部材または拡張可能部材でもよい。この実施態様の利点は、カテーテルの位置決めの際にはカテーテル３２０にはシール力が作用しないが、カテーテル３２０の位置決めの後に、シールのためにシール力が適用または作業することである。
【００６２】
遠位管腔部３２２の近位端領域の形状は、図８Ａ−８Ｂに示す直線カットに対して角度付きカットでもよいことを理解されたい。スパイン３３０は、カテーテル３２０の近位端領域で結合してもよく、および／または、スパイン３３０が近位端から離れた距離で遠位管腔部３２２と結合するように、遠位管腔部３２２の少なくとも一部に沿って延在してもよいことを理解されたい。スパイン３３０および／または前記の部３２２を構成する１つ以上の要素を、接合、溶接、接着、挟持、ストリンギング（stringing）、テザリング（tethering）、または結束（tying）を含む様々なメカニズムを用いて結合することで、前記の部３２２にスパイン３３０を結合することができる。いくつかの実施態様では、スパイン３３０を、遠位管腔部３２２の層の間に挟持することで、スパイン３３０と管腔部３２２とを結合させる。例えば、スパイン３３０は遠位端を有するハイポチューブまたはロッドでもよく、該遠位端が積層され、あるいは近位端領域の近傍でカテーテル部３２２の層に取り付けられるように、該遠位端は、削られ、研磨され、あるいは切断されている。スパイン３３０と前記の部３２２との間の重なりの領域は、少なくとも約１ｃｍとすることができる。このタイプの結合は、スパイン３３０から管腔部３２２への円滑で平坦な移行を可能とする。
【００６３】
一実施態様では、重なり領域は、２５水銀柱インチ（inHg）まで、または２８水銀柱インチ（inHg）までの真空に対してシール可能なように構成されている。一実施態様では、重なり領域１２０は、最小限の漏れで、３００mmHgまで、または６００mmHgまで、または７００mmHgまでの圧力に対してシール可能なように構成されている。さらに、スパイン付き吸引カテーテル３２０がアクセスシース２２０の遠位端を越えて前進し過ぎるのを防止する、特徴部を設けてもよい。スパイン付きカテーテル３２０の重なり領域３２８に逓増した直径と突出特徴を含むいくつかの実施態様では、アクセスシース本体２２２は、スパイン付き吸引カテーテル３２０の近位重なり部がシース本体２２２から抜けるのを防止するアンダーカットをその先端に設けてもよい。
【００６４】
カテーテル３２０の遠位管腔部３２２は、Ｘ線透視装置の下での遠位先端部の移動および適切な位置決めを補助するために、遠位先端部に放射線不透過性マーカー３２４を有していてもよい（図１参照）。さらに、重なり領域１２０が、アクセスシース遠位マーカー２２４とカテーテル近位マーカー１３２４との間の関係として視覚化できるように、カテーテル３２０の近位重なり領域３２８は１つ以上の近位放射線不透過性マーカー１３２４を含んでもよい（図１２Ｃ参照）。一実施態様では、２つのマーカー（遠位先端部のマーカー３２４とより近位のマーカー１３２４）は、Ｘ線透視画像の不明瞭さを最小限にするように区別され、例えば、カテーテル近位マーカー１３２４を単一バンドとし、シース先端マーカー２２４を二重バンドとしてもよい。
【００６５】
スパイン付き吸引カテーテル３２０のスパイン３３０は、遠位管腔部３２２の近位端領域に結合されている。アクセスシース２２０の管腔２２３を通って、カテーテル３２０が遠位方向に前進し、かつ近位方向に後退できるように、スパイン３３０は構成されている。一実施態様では、スパイン３３０の長さは、アクセスシース２２０の全長（遠位先端部から近位バルブまで）よりも、例えば約５ｃｍから１５ｃｍ長い。図１に示すように、スパイン３３０は、カテーテル３２０の遠位管腔部３２２とシース本体２２２との間の重なりを示すマーク３３２を含むことができる。シース２２０を通ってカテーテル３２０を挿入する際にマーク３３２をシース近位バルブ２３４と位置合わせする時、スパイン付き吸引カテーテル３２０とアクセスシース２２０との間にシールを形成するのに必要な最小限の重なり長さで、最遠位の位置にスパイン付きカテーテルを配置できるように、マーク３３２を配置することができる。スパイン３３０は、近位端上にタブ３３４等の把持特徴部を含むことができ、それにより、スパインを容易に掴むことができ、および前進または後退が容易となる。タブ３３４は、以下でより詳細に説明するように、遠位管腔部３２２の管腔３２３を通って延在するように構成された拡張器等の、システム３００の１つ以上の要素と結合することができる。ガイドワイヤ２７０または回収可能ステントデバイスワイヤ５００等の、シース近位バルブ２３４の中に存在する他のデバイスの間で、容易に区別できるように近位タブ３３４を構成することができる。一実施態様では、ガイドワイヤ、回収可能ステントテザー等と容易に区別することができるように、スパイン３３０は、明るい色に着色され、または明るい色でマークされている。
【００６６】
スパイン３３０は、スパイン付き吸引カテーテル３２０の遠位管腔部３２２の前進と後退を可能とするに十分な剛性を有するように構成され、しかも、必要に応じて、脳の解剖学的構造を通って移動するのに十分な柔軟性を有している。さらに、スパイン３３０の外径は、アクセスシース２２０とシース本体２２２の管腔２２３の中であまりに多くの管腔面積を占めることのないように寸法決めされている。一実施態様では、スパイン３３０は、寸法が０．０１４インチから０．０１８インチの丸線である。別の実施態様では、スパイン３３０は、厚さが０．０１０インチから０．０１５インチと、０．０１５インチから０．０２５インチの寸法を有するリボンである。リボンは、平らなリボン、または円弧に沿ってＣ字形状または他の形状を形成する湾曲したリボン等の様々な断面形状を有することができる。別の実施態様では、スパイン３３０はハイポチューブである。一実施態様では、スパイン３３０の材料は、ステンレス鋼またはニチノール等の金属、並びに様々なポリマー等のプラスチックである。
【００６７】
本明細書に記載された、システムの１つ以上の要素は、金属、金属合金、ポリマー、金属−ポリマー複合材、セラミックス、それらの組み合わせ等、または他の適切な材料から作製できる。適切な金属および金属合金の例の一部として、以下を含む：３０４Ｖ、３０４Ｌおよび３１６ＬＶ等のステンレス鋼；軟鋼；線形弾性および／または超弾性ニチノール等のニッケル−チタン合金；他のニッケル合金、例えばニッケル−クロム−モリブデン合金（例えば、ＩＮＣＯＮＥＬ（登録商標）６２５等のＵＮＳ：Ｎ０６６２５、ＨＡＳＴＥＬＬＯＹ（登録商標）Ｃ−２２（登録商標）等のＵＮＳ：Ｎ０６０２２、ＨＡＳＴＥＬＬＯＹ（登録商標）Ｃ２７６（登録商標）等のＵＮＳ：Ｎ１０２７６、他のＨＡＳＴＥＬＬＯＹ（登録商標）合金等）、ニッケル−銅合金（例えば、ＭＯＮＴＥＬ（登録商標）４００、ＮＩＣＫＥＬＶＡＣ（登録商標）４００、ＮＩＣＯＲＲＯＳ（登録商標）４００等のＵＮＳ：Ｎ０４４００）、ニッケル−コバルト−クロム−モリブデン合金（例えば、ＭＰ３５−Ｎ（登録商標）等のＵＮＳ：Ｒ３００３５）、ニッケル−モリブデン合金（例えば、ＨＡＳＴＥＬＬＯＹ（登録商標）、ＡＬＬＯＹ  Ｂ２（登録商標）等のＵＮＳ：Ｎ１０６６５）、他のニッケル−クロム合金、他のニッケル−モリブデン合金、他のニッケル−コバルト合金、他のニッケル−鉄合金、他のニッケル−銅合金、他のニッケル−タングステン合金またはタングステン合金等；コバルト−クロム合金；コバルト−クロム−モリブデン合金（例えば、ＥＬＧＩＬＯＹ（登録商標）、ＰＨＹＮＯＸ（登録商標）等のＵＮＳ：Ｒ３０００３）；白金リッチなステンレス鋼；チタン；それらの組み合わせ等；または他の適切な材料。
【００６８】
カテーテル３２０の遠位腔部３２２と近位スパイン３３０との間の接合部は、キンクまたは弱い点を形成しないようにそれら２つの部分の間で可撓性のスムーズな移行が可能となるとともに、アクセスシース２２０の管腔２２３と、カテーテル３２０の管腔部３２２の管腔３２３とにより形成される連続する内部管腔を通して、ガイドワイヤやマイクロカテーテル等のデバイスのスムーズな通行が可能となるように構成されている。一実施態様では、シース２２０の内部管腔２２３からカテーテル３２０の内部管腔３２３への急激な段階的移行がないように、遠位管腔部３２２は、前記の部３２２が角度付きカットを有するスパイン３３０と結合する場所の近傍に、移行部３２６（図１参照）を有している。角度付きカットは、一般的に平面とすることができる。別の実施態様では、より緩やかな移行領域を形成するために、角度付きカットは、湾曲するか、段付きでもよい。遠位管腔部３２２とスパイン３３０は、溶接結合、機械的結合、接着結合、またはそれらの組み合わせによって接合することができる。スパイン３３０の遠位端は、溶接時の機械的接合を容易にするため、テクスチャー表面、突出特徴部、またはカットアウト特徴部等の特徴部を有していてもよい。熱溶接プロセス中には、この特徴部は、ポリマーの遠位管腔部３２２とスパイン３３０との間の機械的結合を促進する。別の実施態様では、スパイン付きカテーテル１３２０とそれを通って延在する拡張器１３４０を有する、図１２Ａ〜１２Ｂに示すカテーテルシステム１３００では、システム１３００の前進時に、キンクすることなく、または弱い点を形成することなく、その２つの部分の間の可撓性の円滑な移行が形成される。スパイン付きカテーテル１３２０から拡張器１３４０を取り外すと、この円滑な可撓性の移行の喪失が起こり得る。キンクまたは弱い点の形成リスクを顕著に低下させることができる場合、スパイン付きカテーテル１３２０を最初に引き出すようにすることができる。
【００６９】
スパイン付き吸引カテーテル３２０は、その近位端領域上にスパイン３３０が存在しているため、その全長３２０に延びる管腔を有していないので、使用前または処置中のいずれかで、カテーテルの管腔が詰まると、従来の洗浄工程または調製工程は有効ではない。従来の単一の管腔カテーテルでは、注射器がカテーテルの近位アダプターに取り付けられており、内部管腔は溶液で強制的に洗浄される。スパイン付きカテーテル３２０に、付属のカテーテル洗浄および清掃デバイス３５０を設けることもできる（図１参照）。このデバイス３５０は、遠位端には丸いまたはテーパー状の先端部を有し、近位端にはメス型ルアーコネクタを有するチューブでもよい。ルアーコネクタは、注射器をデバイス３５０に接続することができる。鈍いまたはテーパー状の先端部は、カテーテル３２０を損傷する危険なしに、カテーテル３２０の管腔部３２２の遠位端または近位端のいずれかにデバイス３５０を挿入すること、および注射器を作業させてデバイスを洗浄することを可能にする。清掃デバイス３５０のＯＤは、スパイン付きカテーテル３２０の管腔部３２２のＩＤと厳密に一致しており、それにより、カテーテルからデブリや吸引された閉塞物質を掃除するのに十分な力で、スパイン付き吸引カテーテル３２０を洗浄することができる。デバイス３５０は、プランジャー型作用で、詰まった血栓を機械的に掃除するのに用いることができ、デバイス３５０の作業長は、カテーテル３２０の遠位管腔部３２２と少なくとも同じ長さとすることができ、それにより、遠位管腔部３２２の全管腔３２３を通って挿入することができる。カテーテル３２０から詰まった血栓または他の塞栓物質をより効果的に除去するために、デバイスを押し込むのと併せて洗浄してもよい。
【００７０】
別の実施態様では、吸引カテーテル３２０は、単一管腔カテーテルであり、例えば、そのタイプのカテーテルは、２０１４年１２月１２日に出願された、同時係属出願である、米国特許出願公開第２０１５／０１７４３６８号に記載されている。その実施態様では、カテーテルは、テーパー付き同軸拡張器とともに提供されるか、あるいはそのテーパー付き同軸拡張器と結合していてもよく、該テーパー付き同軸拡張器は、一般的に筒状で、カテーテルと、そのカテーテル内に配置されたガイドワイヤとの間の円滑な移行を可能とするテーパー形状の遠位部を有する。
【００７１】
スパイン付き吸引カテーテル３２０は、血管を通って、適切に寸法決めされたマイクロカテーテルおよびガイドワイヤに沿って移動させることができる。あるいは、スパイン付きカテーテル３２０は、同軸拡張器３４０と共に供給できる（図１参照）。拡張器３４０は、カテーテル３２０の遠位管腔部３２２の内部管腔３２３を通って同軸方式で挿入できるように、寸法決めと賦形がなされており、それにより、使用時には、拡張器３４０の近位端領域は、カテーテル３２０のスパイン３３０と並んで整列する。拡張器３４０は、テーパー状の遠位先端部３４６を有することができる。拡張器３４０の長さは、スパイン付き吸引カテーテル３２０と少なくとも同じ長さにすることができ、それにより、スパイン付きカテーテル３２０の管腔部３２２の遠位端から、最小限でも遠位テーパー状先端部３４６を突出させることができる。拡張器３４０は、カテーテルの遠位端へのスムーズな移行を提供する外径と、拡張器３４０の内部管腔から外へ延在するガイドワイヤへと至るまでのスムーズな移行を提供する遠位テーパー状先端部３４６と、を有することができる。拡張器３４０は、その長さの少なくとも一部に沿って概ね筒状とすることができる。一実施態様では、テーパー付き拡張器３４０は、例えば、直径が０．０１４インチと０．０１８インチの範囲にあるガイドワイヤを受け入れることができるように設計されている。この実施態様では、内部管腔の直径は、０．０２０インチと０．０２４インチの間とすることができる。テーパー状遠位先端部３４６は、１．５ｃｍから３ｃｍの範囲とすることができる。
【００７２】
スパイン付きカテーテルとともに用いる、本明細書に記載された拡張器は、その構成が変化し得ることを理解されたい。例えば、上記のように、拡張器３４０は、概ね筒状で、カテーテル３２０とそのカテーテル３２０内に配置されたガイドワイヤとの間にスムーズな移行を可能とするテーパー状の遠位部を有する、同軸拡張器３４０とすることができる。拡張器３４０の筒状本体は、カテーテル３２０の全長に沿って延在することができる。あるいは、拡張器３４０は、カテーテル３２０のスパインと並んで整列する近位スパインを組み込むことができる。近位スパインは、拡張器３４０の遠位端領域と同軸に、またはそれに対して偏心させて配置することができる。拡張器３４０の同軸近位スパインは、それを通って延在する管腔を有することができる。あるいは、拡張器３４０は、管腔のない中実ロッドでもよい。中実ロッド拡張器は、ガイドワイヤがどのように使用されるのかと同様に、ユーザーにより所望されるあらゆる角度と形状に拡張器が成形できるように、狭い外径（例えば、０．０１０インチ〜０．０１４インチ）を有するように削られた可鍛性材料から作製することができる。この構成では、カテーテルシステムは、ガイドワイヤまたはマイクロカテーテルを含んでいない。そのような拡張器は、スパイン付きカテーテル３２０の内径よりも０．００３インチ〜０．０１０インチ小さい外径を有するという点において、マイクロカテーテルに対して利点を有している。
【００７３】
拡張器３４０は、拡張器３４０を注射器で洗浄することができるように、近位端に近位メス型ルアーアダプター３４８を有してもよい。拡張器３４０は、近位端にクリップ特徴部を組み込んでもよく、これにより、拡張器３４０の材料を十分に柔軟性を有する材料とすることができ、およびテーパー状遠位先端部３４６を十分な長さとすることで、ガイドワイヤの可撓性とカテーテルの可撓性との間に円滑な移行を可能とすることができる。この構成は、屈曲した解剖学的構造を通って標的脳血管の中へカテーテル３２０を容易に前進させることができる。一実施態様では、拡張器３４０の遠位端は、放射線不透過性マーカー３４４および／またはマーカー３４３を、テーパー状遠位先端部３４６の近位端に有している。マーカー物質は、白金／イリジウムバンド、タングステン、白金またはタンタルを含浸させたポリマー、または他の放射線不透過性マーカーでもよい。
【００７４】
拡張器３４０は、拡張器３４０の遠位端と近位端との間で剛性が変化するように構成することができる。例えば、カテーテル３２０の管腔部３２２の遠位端を超えて延在する最遠位部を、より柔軟な材料で作製することができ、より近位部に向かって次第に硬い材料を用いることができる。いくつかの実施態様では、以下に詳細に記載されるように、拡張器３４０は、近位スパインを有するスパイン付き拡張器とすることができる。拡張器３４０の近位端は、タブ１３６４を含むことができ、該タブは、カテーテル３２０のスパイン３３０の近位端上で、拡張器３４０をタブ３３４と係止させることができ、これにより、２つの要素（スパイン付きカテーテル３２０と拡張器３４０）が、単一のユニットとしてガイドワイヤに沿って前進することができる（図１２Ａ参照）。いくつかの実施態様では、カテーテル３２０のタブ３３４は、そこを通って延在する中央開口部を有するリングを形成することができる。拡張器３４０のタブ１３６４は、中央ポストを有する環状の戻り止めを有することができる。タブ１３６４の中央ポストは、タブ３３４のリングが、タブ１３６４の環状戻り止めの中に受け入れられて、アクセスシースを通ってカテーテルシステムをユーザーが前進および／または引き戻すことができる単一の把持要素を形成するように、タブ１３６４の中央ポストは、タブ３３４の中央開口部を通って挿入できるように寸法決めすることができる。タブ１３６４は、拡張器３４０に取り付けてもよく、または、拡張器３４０とスパイン付きカテーテル３２０との間の異なる相対位置に対応できるように拡張器３４０上を摺動可能でもよい。
【００７５】
図１２Ａ〜図１６は、本明細書の他の箇所に記載されているスパイン付き吸引カテーテルと拡張器システム１３００の追加の図を提供する。図１２Ａ〜１２Ｂは、遠位管腔部１３２２の吸引管腔１３２３を通って延在する拡張器１３４０を有するスパイン付き吸引カテーテル１３２０を示す。本明細書の他の箇所に記載されているように、カテーテル１３２０は、タブ１３３４を有する近位スパイン１３３０と、吸引管腔１３２３を有する遠位管腔部１３２２を有することができる。スパイン１３３０は、遠位管腔部１３２２とタブ１３３４との間に延在することができる。拡張器１３４０は、スパイン付きカテーテル１３２０の吸引管腔１３２３内に受け入れ可能である。拡張器１３４０は、遠位拡張部１３６０と近位スパイン１３６２を含むことができる。拡張部１３６０は、拡張器１３４０の遠位先端部１３４６と、近位スパイン１３６２の始点との間に延在することができる。拡張器先端部１３４６がカテーテル１３２０の遠位管腔部１３２２の遠位端を超える所定の距離延在することで、改良されたトラッキングのための円滑な移行を提供できるように、カテーテル１３２０と係合する時に、拡張器１３４０の拡張部１３６０は、カテーテル１３２０の遠位管腔部１３２２の全長を通って延在することができる。本明細書の他の箇所に記載されているように、拡張器先端部１３４６は、テーパー状にすることができ、および血管壁に対して、柔らかく、非外傷性で、柔軟にすることができ、それにより、組織と動脈壁を通って遠慮なく切開する、経皮的動脈アクセスのために通常使用されている拡張器に比べて、屈曲した解剖学的構造中の塞栓への血管内移動を容易にすることができる。
【００７６】
拡張器１３４０は、急性虚血性脳卒中における屈曲し、しばしば罹患した血管を通る改良されたトラッキングのために構成されたカテーテル１３２０を備えた係止構成で示されている。拡張器部１３６０は、拡張器部１３６０の外面上に１つ以上の戻り止めを含むことができる。戻り止めは、拡張器部１３６０の近位端領域および／または遠位端領域の近くに配置することができる。戻り止めは、それを通って拡張器部１３６０が延在する管腔１３２３の内面上の対応する形状の表面特徴部に係止するように構成される。拡張器１３４０は、拡張器１３４０の近位スパイン１３６２の近位端に拡張タブ１３６４を含むことができ、上述したように、カテーテルスパイン１３３０の近位端領域上の対応する特徴に接続および係止するように構成されることができ、例えば、１つ以上の戻り止めまたは他の表面特徴を介して行うことができる。これにより、拡張器１３４０とカテーテル１３２０は、それらの間に単一点を超える係止接続点を持つことができる。拡張器１３４０の近位スパイン１３６２は、拡張器１３４０の拡張器部１３６０とタブ１３６４との間に延在することができる。拡張器部１３６０は、本明細書の別の箇所に記載されている筒状要素であり、拡張器部１３６０の全長に亘るガイドワイヤ管腔を形成する（およびスパイン付きカテーテル１３２０の遠位管腔部１３２２の全長）。拡張器１３４０全体が、拡張器部１３６０並びに、スパイン１３６２を通ってガイドワイヤを受け入れることができるように構成された筒状要素であってもよいことを理解されたい。拡張器部１３６０の近位端、すなわち、拡張器部１３６０と近位スパイン１３６２との間の移行部１３２６は、カテーテル１３２０の遠位管腔部１３２２と拡張器１３４０の拡張器部１３６０との間の移行を円滑に行うための“逓増部”（step up）を含むことができる。移行部１３２６は、シース１２２０の内部管腔１２２３からカテーテル１３２０の内部管腔１３２３への急激な段階移行がないように、角度付きカットを組み込むことができる。それにより、スパイン付き吸引カテーテル−拡張器１３００は、それが接触する血管壁に対して滑らかとなるようにすることができる。
【００７７】
拡張器１３４０の近位スパイン１３６２は、カテーテル１３２０のスパイン１３３０と同様の剛性および特性を有することができる。より具体的には、スパイン１３６２，１３３０の一方または両方は、剛性および／または耐キンク性を有することができる。さらに、スパイン１３６２，１３３０の一方または両方は、非常に低いプロフィールを生成しながら、アクセスシースまたはガイドワイヤを通って、複数の遠位部、すなわち、組み合わされた遠位管腔部１３２２と拡張器部１３６０を押すことを可能とする剛性を有することができる。一形態として、スパイン１３６２，１３３０の一方または両方は、硬いワイヤを含む。
【００７８】
カテーテルタブ１３３４と拡張器タブ１３６４は、互いに取り外し可能に接続することができる。より具体的には、タブ１３３４，１３６４は、係止構成と非係止構成をとることができる。係止構成では、拡張器タブ１３６４は、カテーテルタブ１３３４と係合することができる。非係止構成では、拡張器タブ１３６４は、カテーテルタブ１３３４から係合を解除することができる。拡張器タブ１３６４は、係止構成にある、スパイン付き拡張器１３４０の対応する部分とスパイン付きカテーテル１３２０との関係を維持するような方式で、カテーテルタブ１３３４に、例えばクリック止めまたは閉じ込めることにより、取り付けることができる。このような係止は、例えば、拡張器タブ１３６４上の戻り止めを用い、カテーテルタブ１３３４の中に形成された凹部内の場所に嵌め込む等により達成できる。いくつかの実施態様では、スパイン付きカテーテル１３２０のスパイン１３３０は、拡張器スパイン１３６２の特別のチャンネルと並んでまたはその中を動くことができる。このチャンネルは、拡張器スパイン１３６２の長さに沿って配置させることができ、およびカテーテル１３２０のスパイン１３３０が、チャンネル内に受け入れられ、チャンネルに沿って双方向に円滑に摺動できるように、カテーテルスパイン１３３０の断面形状に適合する断面形状を有することができる。一旦、スパイン付きカテーテル１３２０とスパイン付き拡張器１３４０が固定されると、組み合わされたシステム、すなわち吸引カテーテル−拡張器１３００は、例えば本明細書の別の箇所に記載されたアクセスシース２２０の管腔２２３を通って、標的部位に送られることができる。
【００７９】
図１２Ｂを参照すると、一実施形態に基づき、非係止構成にある、スパイン付きカテーテル１３２０とスパイン付き拡張器１３４０を有するスパイン付き吸引カテーテル−拡張器１３００が示されている。スパイン付き吸引カテーテル−拡張器１３００が標的部位に配置されると、本明細書で説明されているように、拡張器タブ１３６４は、カテーテルタブ１３３４による係止を解除することができる。スパイン付き拡張器１３４０は引き出され、スパイン付きカテーテル１３２０を、例えば、吸引あるいはワイヤまたはバルーン送達のために使用することができる。
【００８０】
図１３は、一実施形態に基づくものであり、図１２ＢのＡ−Ａ線に沿った断面図であって、スパイン付き拡張器１３４０と同軸的に配置されたスパイン付きカテーテル１３２０の断面図である。この断面図は、遠位管腔部１３２２の吸引管腔１３２３内に受け入れられた拡張部１３６０を有するカテーテル−拡張器の一部を示している。管腔１３２３は、０．０７２インチまでの範囲の内径を有してもよいが、より大きい、またはより小さい内径も可能である（より大きくても、より小さくても可能）。遠位管腔部１３２２の壁は、吸引のための最大直径を提供するために、ねじれまたは楕円化に抵抗することができる。拡張器部１３６０は、スリップフィットで遠位管腔部１３２２に受け入れることができる。したがって、一実施形態では、拡張器部１３６０の外径は、遠位管腔部１３２２の内径未満でもよい。例えば、管腔１３２３は０．０７２インチの直径を有し、拡張器部１３６０が０．０７０インチの外径を有してもよい。
【００８１】
図１４は、一実施形態に基づくものであり、図１２ＢのＢ−Ｂ線に沿った断面図であって、スパイン付き拡張器１３４０を除いたスパイン付きカテーテル１３２０の断面図である。断面は、拡張部１３６０が後退および／または除去された後の遠位管腔部１３２２を示している。遠位管腔部１３２２は、管腔１３２３を画定する内壁１３２１を有している。管腔１３２３は、図に示すように円形でもよく、または別の形状でもよい。一実施形態では、管腔１３２３の有効直径は０．０７２インチまでの範囲である。
【００８２】
図１５Ａは、一実施形態に基づくものであり、係止構成にあるスパイン付きカテーテル１３２０とスパイン付き拡張器１３４０を有するスパイン付き吸引カテーテル−拡張器システム１３００が示されている。一実施形態では、スパイン１３３０と拡張器１３４０は、全長に亘り実質的に同様の外形寸法を有することができる。例えば、拡張器部１３６０と拡張器スパイン１３６２との間をより小さな寸法へ収束させるよりもむしろ、拡張器スパイン１３６２は拡張器部１３６０と同じ寸法を有してもよい。よって、少なくともその長さの大部分に亘って、実質的に同じ断面積を有するカテーテル−拡張器が提供できる。上述のように、スパイン付き拡張器１３４０とスパイン付きカテーテル１３２０は、係止構成で係合し、非係止構成で係合が解除される、対応するタブ１３３４，１３６４を有することができる。
【００８３】
図１５Ｂは、一実施形態に基づくものであり、非係止構成にあるスパイン付きカテーテル１３２０とスパイン付き拡張器１３４０を有するスパイン付き吸引カテーテル−拡張器が示されている。スパイン付き拡張器１３４０は、上述した方法と同様にして、スパイン付きカテーテル１３２０から除去することができる。一実施形態では、スパイン付き吸引カテーテル−拡張器は、その長さの大部分に亘って同様の断面積を有することができ、それにより、スパイン付きカテーテル１３２０とスパイン付き拡張器１３４０の形状は、相補的であってもよい。例えば、スパイン１３３０は、円弧、例えば四分円に沿った断面積を有することができ、それにより、拡張器スパイン１３６２の断面積は円の四分の３でもよい。このように、スパイン１３３０は、全円の全断面積を提供するために、拡張器スパイン１３６２に一致してもよい。
【００８４】
図１６は、一実施形態に基づくものであり、神経血管の解剖学的構造内に位置する、内部管腔１３２２を有する遠位管腔部１３２２を有するスパイン付きカテーテル１３２０の模式図が示されている。シース本体１２２２と内部管腔１２３２を有するアクセスシース１２２０とともに使用される場合、スパイン付きカテーテル１３２０がＩＣＡに到達し、塞栓Ｅまでの距離が２０ｃｍ未満であると矛盾なく感じられる一実施形態では、長さが２５ｃｍである遠位管腔部１３２２が、重なり領域１１２０がアクセスシース１２２０とともにシールを形成することが理解されるであろう。重なり領域は数ｃｍの長さを有することができ、塞栓Ｅから管腔部１３２２の遠位管腔部の遠位端の距離に応じて、例えば、スパイン付きカテーテル１３２０をアクセスシース１２２０からどの程度遠くまで前進させるかに応じて、変化することができる。
【００８５】
本明細書の別の箇所に記載されているように、塞栓の吸引に利用できる管腔領域は、アクセスシースに従来の大口径のカテーテルを有する吸引システムを用いた場合と比べ、スパイン付きカテーテル１３２０を用いた方が大きい。より詳細には、スパイン付きカテーテル１３２０の管腔領域と遠位管腔部１３２２の近くのアクセスシース１２２０の管腔領域とを組み合わせた体積は、システムの全長に沿った大口径カテーテルの管腔領域よりも大きい。そのため、１回の吸引試行で塞栓を除去できる可能性を増加させることができる。より詳細には、スパイン１３３０に沿った、拡径した管腔直径により大きな吸引力を得ることが可能となり、塞栓に対する吸引力を改善することができる。拡径された管腔直径は、マイクロカテーテルまたはテーパー状内部部材等のデバイスが、スパイン付きカテーテルおよびアクセスシースに同軸的に配置されている状態で、造影剤、生理食塩水、または他の溶液で前方洗浄することができる環状領域を増加させることもできる。そのため、デバイスの移動中に血管造影を行うことの容易性および能力を向上させることができる。
【００８６】
開示されたシステムは、そのシステムと共に使用されるように特別に構成された補助デバイスを備えることができる。アクセスシースシステムまたは吸引カテーテルシステムの一実施態様を参照することは、限定されることを意図するものではないこと、および本明細書に記載された補助デバイスは、本明細書に記載された特徴の変形例または組み合せを有する任意のシステムと共に使用することができることを理解されたい。例えば、アクセスシースが以下に記載されている場合、本明細書に記載のアクセスシースまたはアクセスシースシステムのいずれかの１つ以上の特徴を組み込むことが可能であることを理解されたい。同様に、スパイン付きカテーテルが、以下に記載されている場合、本明細書に記載されているスパイン付きカテーテルまたはスパイン付きカテーテルシステムを組み込むことができる。
【００８７】
一実施態様では、システムはマイクロカテーテル４００を含む（図１参照）。マイクロカテーテル４００は、脳血管内における移動に特に適するように構成することができる。
スパイン付きカテーテル３２０を所望の部位に移動させるのを補助するために、テーパー付き拡張器３４０に代えてマイクロカテーテル４００を用いることができる。よって、その近位端に、スパイン３３０をマイクロカテーテル４００に係止する手段を含んでもよく、それにより、２つの要素（スパイン付きカテーテルおよびマイクロカテーテル４００）を、ガイドワイヤに沿って単一のユニットとして前進させることができる。いくつかの例では、マイクロカテーテル４００は、カテーテル３２０の前方を前進させて、カテーテル３２０が前進する時のサポートをさせ、あるいは閉塞を横断させ、閉塞に遠位の血管造影を行う。この場合、マイクロカテーテル４００の長さを、スパイン付きカテーテルよりも約１０〜２０ｃｍ長くすることができる。マイクロカテーテル４００は、回収可能なステントデバイス５００を閉塞に送達するために使用することもできる。この場合、マイクロカテーテル４００は、回収可能なステントデバイス５００の送達に適した内径、例えば、０．０２１インチと０．０２７インチの範囲と、ＰＴＦＥのインナーライナーとを有することができる。マイクロカテーテル４００は、移動時に吸引カテーテル３２０の遠位端を超えて延在できるように、スパイン付きカテーテル３２０の全長よりも少なくとも約５〜１０ｃｍ、あるいは約５〜２０ｃｍ長くしてもよい。
【００８８】
一実施態様では、システムは、遠位拡張可能部５１０を有する回収可能なステントデバイス５００を含み、それは図９に示すように、マイクロカテーテル４００を通って送達できるように寸法決めされ、かつ構成されている。回収可能なステントデバイス５００は、閉塞の除去を補助するために、システムの他の要素と共に使用することができる。回収可能なステントデバイス５００は、血栓摘出手順中に、閉塞された動脈への流れを迅速に回復させるために用いることもできる。回収可能なステントデバイスの例には、ソリティア血行再建デバイス（Solitaire Revascularization Device）（メドトロニック）(Medtronic)またはトレボ・ステントリーバー（Trevo Stentriever）（ストライカー）(strayker)が挙げられる。
【００８９】
使用方法では、回収可能なステントデバイス５００は、吸引段階でカテーテル３２０の中に血栓を取り込むことを補助する、あるいは吸引段階で詰まる可能性のあるカテーテル３２０を掃除することを補助するために用いられる。一実施態様では、検索可能なステントデバイス５００は、これらの機能を実行するのに特に適合するように構成されている。例えば、図１０Ａに示すように、デバイス５００の拡張可能部５１０の遠位端は、最遠位端を閉鎖するために、遠位端で一体となる複数の支柱（struts）または要素を有し、それにより、デバイスがデバイスを横切る血流を可能とするが、デバイス５００がカテーテル３２０の中に引き込まれる際に、血栓片を捕捉し、その後、カテーテル３２０を通って遠位端から出るように構成されている。あるいは、遠位端５２０は、フィルタ要素またはバルーン要素である。
【００９０】
図１０Ｂに示す別の例では、回収可能なステントデバイス５００は、２つ以上のセグメントを含み、１つ以上の近位セグメント５１０ａは、カテーテルの遠位内部管腔内で拡張可能に構成され、一方、１つ以上の遠位セグメント５１０ｂは、従来の回収可能ステントデバイスで行われているように、閉塞を横切って拡張可能に構成されている。あるいは、図１０Ｃで見られるように、回収可能なステントデバイス５００は、非常に長い拡張可能部５１０を有し、該拡張可能部の近位部は、カテーテルの遠位内部管腔内で拡張可能であり、一方、遠位部は閉塞を横切って拡張される。これら全ての実施態様では、拡張可能部５１０の近位端は、最小の構造要素を有し、これにより、拡張可能部は、カテーテル３２０の管腔の中に容易に引き込まれ、およびアクセスシース３２０から容易に引き出され、装置を介する血栓吸引の障害を最小限に抑える。これらの実施例では、凝血塊がカテーテル３２０の中に吸引された場合であっても、拡張可能部５１０は依然として凝血塊と係合しており、もしカテーテル３２０に栓がされた場合には、引き戻された時に凝血塊を掃除できるようにデバイス５００は好位置に配置される。一旦、回収可能なステントデバイス５００が、カテーテル３２０の管腔部３２２から除去されると、依然として部分的または完全に閉塞されている場合には、カテーテル３２０を通してその部位に対して追加の吸引を適用することができる。カテーテル３２０が詰まったままでは、このステップは不可能であるので、追加の吸引のために再挿入される前に、カテーテルは取り外され、患者の体外で洗浄されなくてはならない。回収可能なステントデバイス５００のこの構成は、従来の単一管腔吸引カテーテル、またはスパイン付き吸引カテーテル３２０のいずれかで使用することができる。
【００９１】
図１０Ａ〜１０Ｃに示すデバイス５００の実施態様は、公知の血栓摘出デバイスおよび血栓吸引中のカテーテルの詰まりの問題に対処する方法と共に使用できる。
【００９２】
一実施態様において、図２Ａまたは図３に示すように、システムは吸引源６００を含む。吸引源６００は、アクセスシース２２０上の吸引ライン２３０に取り付けることができる。吸引源６００の例としては、注射器または能動吸引ポンプを挙げることができる。吸引源６００は、容器等の送達場所に接続することができる。容器と吸引源６００とは別々でもよく、その出口が採血槽に接続された機械式または電気機械式の流体ポンプでもよく、あるいは、注射器または注射器ポンプ等の単一のデバイスに統合されてもよい。あるいは、採血槽は、病院の真空ラインまたは空気真空ポンプ等の真空源に接続され、このようにして、容器ならびに吸引源が提供される。フィルタおよび／または逆止弁は、吸引源に結合されてもよい。ポンプは、ダイアフラムまたはピストンポンプのような容積式ポンプ、ぜん動ポンプ、遠心ポンプ、または当該技術分野で知られている他の流体ポンプ機構でもよい。
【００９３】
一実施態様では、吸引源は、可変状態または多状態吸引源であり、および吸引レベルを制御する機構を含み、それには、例えば、真空ポンプ内の真空レベルを変更すること、容積式ポンプ、ぜん動ポンプまたは遠心ポンプのモータへの動力を変更すること、あるいは注射器または注射器ポンプにおける注射器の引き戻し速度を変更することを含む。あるいは、可変流動抵抗を有する要素を設けることにより吸引速度を変化させることができ、例えば、高流動抵抗流路と低流動抵抗流路との間で切り替え可能な並行流流路、可変的に開くことができるオリフィスまたは管腔、あるいは流動抵抗を変化させることのできる他の手段を挙げることができる。一例では、吸引源は、２つの吸引レベルを有するように構成される：カテーテルが血栓材料と接触しているときに使用される高レベルの吸引であって、血栓閉塞を吸引するレベルと、遠位塞栓を引き起こす危険性が高いステップ中、例えば、傷害部を横切るか、回収可能なステントデバイスが拡張され、血管への流れが回復する時に使用される低レベルの吸引とを含む。
【００９４】
図１１に示す別の例では、吸引源６００は、吸引ライン２３０内の流量を感知する流量センサ２７５をさらに含み、そのセンサは吸引のレベルを制御するコントローラに結合されている。吸引源６００は、流量が遅い時に吸引レベルを増加させ、流量が増加した時に吸引レベルを減少させることができる。この方法では、カテーテルが目詰まりしたり、または部分的に目詰まりした時に力が最も大きくなるが、遠位塞栓からの保護を保証する自由な流れを確保しながら、吸引される血液の体積を制限する場合には、最小レベルまで減少させる。この方法では、システムは、吸引される血液の量を制限しながら、血栓の吸引を最適化する。あるいは、吸引源６００は、真空計を含むことができる。カテーテル３２０内の流れが遮断されるか、または制限されると、ポンプはより高いレベルの真空を生成せる。この例では、より高い真空が検出されたときに、吸引力が上昇するように構成することができる。
【００９５】
さらに別の吸引源の実施態様では、吸引源６００は、周期的レベルの吸引力を提供し、例えば、所定の周波数で高レベルの真空と低レベルの真空との間、あるいは高レベルの真空から真空でない状態、あるいは高レベルの真空から圧力源の状態をサイクルさせる。周期的吸引モードは、血栓にジャックハンマー型の力を提供し、カテーテルを介して血栓を吸引する能力を高めることができる。周期的吸引力は、電磁弁、プログラマブルポンプモータ等を介して可能とすることができる。一実施態様では、詰まった時、または吸引ラインで制限流が検知された時のみに、上述のように、低流量または高真空で周期的吸引は適用し、それ以外の時には、吸引源は、低レベルの流れに戻るか、またはオフにされる。この構成は、ユーザーにより制御可能であり、または吸引源へのフィードバックループを介して自動的に制御されるように構成される。
【００９６】
一実施態様では、システムは、アクセスシース上の吸引ラインに接続されるように構成されている自動逆流機構を含む。例えば、吸引ラインは、中央静脈のような低圧部位、あるいはゼロまたは負圧に設定された外部容器に接続されている。
【００９７】
図１１に示す一実施態様では、洗浄ライン２３６は、ストップコック２３８を介して、生理食塩水または放射線不透過性造影剤を保持する注射器２８６に接続されてもよい。さらに、洗浄ライン２３６は、洗浄源２８８、例えば、生理食塩水の加圧バッグに接続されてもよい。バルブ２９２は、洗浄源２８８から洗浄ライン２３６への流れを制御することができる。バルブ２９２が、洗浄ライン２３６に開放されている時、加圧された流体源が提供される。一実施態様では、吸引源６００がオンの時にのみ、バルブ２９２が開状態となるように、機械式または電気機械式カプラ２９５を介してバルブ２９２が吸引源６００に結合されている。あるいは、吸引源６００に向かう流れが存在する時のみにバルブ２９２がオン状態となるように、バルブ２９２は、吸引ライン２３０の流量センサ２７５に結合されている。これらの実施態様では、洗浄源２８８の流量は、近位延長部２４０の血液が明瞭となる程度で十分であり、吸引流に対して作用する流れを発生させて血栓の吸引を制限する程高くはない。この実施態様の利点は、近位延長部２４０では血液の明瞭なままであり、近位延長部２４０内にあるあらゆる塞栓または空気が明瞭に見えることである。
これは、注射器２８６を介してカテーテルを生理食塩水または造影剤で洗浄する場合に、ユーザーにフィードバックを提供する。
【００９８】
別の実施態様では、バルブ２９２は、シース本体２２２をシース２２０の近位部２４０に接続するバルブ２４２に機械式または電気機械式のいずれかにより接続されている。バルブ２４２が閉じられている時のみにバルブ２９２が開くように、カップリング２９０を構成することができる。この特徴により、塞栓がカテーテルを通って脈管構造内に逆流する危険なしで、洗浄ステップを介して近位延長部２４０から血液を除去されることを可能にする。カップリング２９０は、例えば、いくつかの方法のいずれかで構成することができる。例えば、バルブ２４２が閉じられている時には、カップリング２９０を常に開放し、あるいは、バルブ２４２が閉じられておらず、自動的に開いていない限り、バルブ２３８が開くのを防止することができる。
【００９９】
一実施態様では、バルブ２９２は、異なるレベルの洗浄流量を可能にする可変動バルブである。この例では、バルブ２９２は、吸引源が低設定にあるときには遅い洗浄を行い、吸引源が高設定にあるときには高レベルの洗浄を行うように構成されている。一実施態様では、バルブ２４２が閉じられた時にはさらに高レベルの洗浄を行うように構成されている。これらの構成は、デブリの連続的な除去および/またはアクセスシースの近位部の明瞭な可視性を可能とするとともに、手順のステップ中に遠位塞栓または空気が血管に入るリスクを最小化する。例えば、カテーテルの遠位先端部が、近位止血弁２３４から除去されるステップでは、カテーテルの先端に捕捉されたすべての凝血塊は、カテーテルがバルブを通して引っ張られるときに遊離するが、遊離した塞栓は連続洗浄により吸引ラインへと洗浄され、例えば、カテーテルが取り外された後の造影剤注入の間に、前記遊離した塞栓が血管内で再注入される可能性のある、シース内には残留しない。
【０１００】
再び、図１に関し、システム１００は、複数のデバイスのキットを含むことができる。一実施態様では、キットはアクセスシースシステム２００を含み、該アクセスシースシステムは、アクセスシース、１つ以上のテーパー状シース拡張器、および１つ以上のシースガイドワイヤを含む。別の実施態様では、システム１００は、アクセスシースシステム２００と、１つ以上の内径を有する１つ以上のスパイン付きカテーテルシステム３００を含んでいる。一実施態様では、スパイン付きカテーテルシステム３００は、スパイン付き吸引カテーテル３２０とテーパー付き拡張器３４０とを含んでいる。一実施態様では、スパイン付きカテーテルシステム３００は、カテーテル清掃ツール３５０も含んでいる。さらに別の実施態様では、システム１００は、アクセスシースシステム２００、テーパー付きカテーテルシステム３００、マイクロカテーテル４００、および回収可能なステントデバイス５００を含む。
【０１０１】
経皮アクセスのために構成された実施態様では、キットはアクセスシース２２０を含み、挿入可能なシース本体２２２の長さは約２３ｃｍであり、近位延長部２４０は約２２ｃｍであり、コネクタ２２６は約７ｃｍであり、近位止血弁２３４は約５ｃｍである、アクセスシースの全長は約５７ｃｍである。一実施態様では、キットは、スパイン付き吸引カテーテル３２０も含み、カテーテル遠位管腔部３２２は約２０ｃｍであり、移行部３２６は約２〜４ｃｍであり、スパイン部３３０は約６５ｃｍであり、スパイン付きカテーテルの全長が約８８ｃｍである。別の実施態様では、キットは、作業長が９３ｃｍであるテーパー付き拡張器３４０も含む。別の実施態様では、キットは、作業長が約１９８ｃｍであるマイクロカテーテル４００と全長が１２８ｃｍである回収可能なステント装デバイス５００も含む。
【０１０２】
経大腿アクセスのために構成された実施態様では、キットは、アクセスシースシステム２２０を含み、挿入可能なシース本体２２２の長さは約９０ｃｍであり、近位延長部２４０は約２２ｃｍであり、コネクタ２２６は約７ｃｍであり、近位止血弁２３４は約５ｃｍであり、アクセスシースの全長は約１２４ｃｍである。アクセスシースの近位部は、取り外し可能な近位部２８０とすることができる。一実施態様では、キットは、スパイン付き吸引カテーテル３２０も含み、カテーテル遠位管腔部３２２は約２０ｃｍであり、移行部３２６は、約２〜４ｃｍであり、スパイン部３３０は約１３２ｃｍであり、カテーテルの全長が約１５５ｃｍである。別の実施態様では、キットは、作業長が１６０ｃｍであるテーパー付き拡張器３４０も含む。別の実施態様では、キットは、作業長が約１６５ｃｍであるマイクロカテーテル４００と全長が１９５ｃｍである回収可能なステントデバイス５００も含む。
【０１０３】
別の実施態様では、キットは、取り外し可能な近位部２８０を有するアクセスシース２２０と、単一管腔吸引カテーテルとを含む。別の実施態様では、キットは、手順に適した任意の導入シースに取り付け可能な近位部２８０のみを含む。この実施態様では、キットは、スパイン付き吸引カテーテル３２０または単一管腔吸引カテーテルを含むことができる。
【０１０４】
これらの実施態様のいずれにおいても、キットは、吸引源も含むことができ、例えば、ポンプ、真空ポンプへのアタッチメント、注射器、シリンジポンプに取り付け可能な注射器等を挙げることができる。キットは、自動洗浄のための手段、例えば、カップリング手段２９０または２９２を含むことができる。
【０１０５】
本明細書の別の個所に記載されているように、アクセスシースシステムまたはカテーテルシステムの一実施態様に対する参照は、限定されることを意図するものではないこと、および本明細書に記載されたキットは、様々な特徴のいずれかを有するものとして本明細書に記載されているシステムおよび/または補助デバイスのいずれかを組み込むことができることを理解されたい。例えば、アクセスシースがキットの一部として記載されている場合、本明細書に記載されているアクセスシースまたはアクセスシースシステムのいずれかの１つ以上の特徴を組み込むことができることを理解されたい。同様に、スパイン付きカテーテルがキットの一部として記載されている場合、本明細書に記載されているスパイン付きカテーテルまたはスパイン付きカテーテルシステムのいずれかの１つ以上の特徴を組み込むことができることを理解されたい。
【０１０６】
図２Ａおよび３は、使用方法を示している。図２Ａに示すように、アクセスシース２２０は、標準的な血管アクセスシースを用いて大腿動脈内に挿入され、そしてシース先端が内頚動脈または総頚動脈内で安全に可能な限り遠位の部位に位置するまで前進する。図３では、アクセスシース２２０は、総頚動脈内に直接挿入され、シース先端が内頚動脈内で安全に可能な限り遠位となる部位に位置するまで前進する。いずれのシナリオにおいても、シースは最初に総頚動脈または近位頚動脈を前進し、次いで拡張器が前進し、シースを内頸動脈内のより遠位方向に前進させる前により柔らかい拡張器に交換される。シースは、その後、シースコネクタのアイレットを通して縫合糸を用いて患者に固定される。次いで、シースは、シースコネクタ上の小孔（eyelet）を通して縫合糸を用いて患者に固定される。シース吸引ライン２３０は、注射器または吸引ポンプ等の吸引源６００に接続される。シース吸引ラインは、ストップコックまたはストップコックマニホールドを介して、前方洗浄ライン(加圧生理食塩水バッグ等)に接続されてもよい。
【０１０７】
一旦、シース先端部が所望の位置に固定されると、これは患者に固定される。スパイン付きカテーテル、テーパー付き拡張器、およびガイドワイヤは同軸構成に予め組み立てられ、シース近位止血弁を介して頚動脈内に導入される。スパイン付き吸引カテーテル３２０は、アクセスシースを通って前進し、遠位先端部が治療部位に位置した時点で位置決めされる。遠位カテーテル先端部が閉塞の近位面に位置するまで、標準的な介入技術を用いてデバイスを前進させる。スパイン３３０上のマーク３３２は、カテーテルの遠位管腔部３２２とアクセスシース本体２２２との間に依然として重なり領域１２０があることを保証する。この時点で、テーパー付き拡張器３４０とガイドワイヤを除去することができる。別の実施態様では、カテーテル３２０を閉塞に移動させるのを補助するために、テーパー付き拡張器３４０に代えてマイクロカテーテル４００を用いる。この手順の間、吸引の前またはその間に管腔を明瞭に保つために、吸引管腔に対して前方洗浄を開放する。デバイス移動時のいずれの時点でも、遠位塞栓防止に適したレベルで吸引源６００から吸引を開始することができ、例えば、ガイドワイヤまたはマイクロカテーテル４００が閉塞を横断している場合である。
【０１０８】
一旦、スパイン付き吸引カテーテル３２０の遠位先端部が凝血塊の表面に達すると、吸引血栓摘出に適したレベルで吸引が開始されるが、それは遠位塞栓防止よりも高いレベルである。カテーテル３２０は、ユーザーが適切であると考えるある程度の期間、凝血塊に対して吸引モードを維持することができる。吸引血栓摘出操作の結果に応じて(吸引ラインを通る流れおよび／またはカテーテルのスパイン上の後ろ向きの力に対する抵抗を観察して)、ユーザーは、凝血塊が完全に吸引されたことを決定でき、あるいはそうでない場合には、ユーザーは、カテーテル３２０を前後に移動させて、その場で凝血塊を吸引することを選択することができ、あるいはカテーテル３２０をシース２２０内にゆっくりと後退させることができる。もしカテーテル３２０およびシース２２０を通して凝血塊を吸引することにより、動脈に血流が回復した場合には、最終の血管造影を実施し、カテーテル３２０を後退させることができる。しかし、血栓がカテーテル先端を閉塞し、除去することができない場合には、吸引力によりカテーテル３２０の先端に閉塞の一部または全部が付着した状態で、カテーテル３２０が引き戻される。
【０１０９】
後者のシナリオでは、カテーテル３２０がアクセスシース２２０の中に引き戻される間はずっと、カテーテル３２０の先端部では吸引が維持される。カテーテル３２０がアクセスシース内に完全に引き戻されると、シースにおける吸引を維持しながら、カテーテル３２０をシース本体２２２から迅速に取り外すことができる。シース本体２２２の遠位先端部にある遠位開口部２１９を通って延在した後で、カテーテル３２０がシース本体２２２の中に引き戻してもよいことを理解されたい。あるいは、カテーテル３２０は、シース本体２２２の遠位端領域の近傍の側方開口部２１９を通って延在してもよく、その場合、カテーテル３２０は、この側方開口部２１９を通ってシース本体２２２内に引き戻される。カテーテルの後退中のある時点で、カテーテル３２０が閉塞材料で詰まっているか否かに応じて、吸引血栓摘出に適した高レベルから遠位塞栓防止に適した低レベルまで吸引レベルを変化させることができる。カテーテル先端部またはシース先端部またはシース遠位領域のいずれかから連続的に吸引を維持する能力を提供すること、および吸引レベル変化させるとともに吸引を維持する手段を提供することにより、遠位塞栓を最小限にしながら、かつ吸引からの血液損失を最小限にしながら、この手順は、吸引の能力を最適化できる。所望であれば、近位バルブ２３４の洗浄ライン２３６で吸引を開始することもでき、それにより、近位バルブ２３４を介して凝血塊が付着する可能性のあるカテーテル先端部を取り外す際に、遠位塞栓の形成の可能性を減少させることができる。
【０１１０】
スパイン付き吸引カテーテル３２０は、シース２２０の近位止血弁２３４から完全に取り外すことができる。あるいは、アクセスシース２２０が近位延長部２４０を有する場合、遠位管腔部３２２を近位延長部２４０に引き込むことができる。後者のシナリオでは、一旦引き込まれると、シース２２０からカテーテル３２０を完全に取り外すことなく、カテーテル３２０とシース２２０は洗浄して、潜在的な塞栓物質を除去することができる。吸引ライン２３０からの吸引と同時に近位バルブ洗浄ライン２３６からの激しい洗浄により、カテーテル３２０とシース２２０のための洗浄環境が形成される。所望であれば、カテーテル清掃ツール３５０は、シース近位バルブ２３４に挿入され、この時点で、カテーテル３２０の管腔３２３を清掃するために使用されることができる。アクセスシース２２０が、コネクタバルブ２４２を有する場合、この段階では近位部２４０はシース本体２２２から閉鎖されてもよく、それにより、塞栓物質がシース本体２２２に流入して動脈内に流入する危険性がないようにすることができる。
【０１１１】
あるいは、バルブ２４２を閉鎖して、近位バルブが開放または除去される間は吸引を停止させることができ、そしてカテーテル３２０はシース３２０から完全に除去される。バルブ２４２を閉鎖することでカテーテル３２０が除去された時のシースからの血液の損失を制限できる。次に、カテーテル３２０は、清掃ツール３５０を用いて、テーブル上で洗浄しても、またはボウルまたは他の受容器に中に洗い出してもよい。近位延長部２４０は、吸引ライン２３０からの吸引と同時に、近位バルブ洗浄ライン２３６から洗浄源２８８を用いて、あるいはテーブル上で洗浄するため、またはボウルまたは他の受容器に中に洗い出すために側方ポートを開放することにより、洗浄されてもよい。所望であれば、血管造影を実行して、治療された動脈を通る流れを評価することができる。手順の指示がある場合、カテーテル３２０または他のカテーテルは、別の吸引血栓摘出ステップを試みるために上述のように、ガイドワイヤおよびテーパー付き拡張器３４０またはマイクロカテーテル４００上を再度前進させることができる。カテーテルとアクセスシース２２０の近位延長部２４０の洗浄は、これらの後続のステップ中の遠位塞栓のリスクを最小限にすることができる。
【０１１２】
別の例示的な方法では、回収可能なステントデバイス５００は、血栓性閉塞を除去するために、吸引と共に用いることができる。図９は、経皮アクセス部位または経大腿アクセス部位のいずれかを介した使用方法を示す。このシナリオでは、アクセスシース２２０は上述のように位置決めされ、内頸動脈内で安全のため可能な限り遠位にシース先端部が到達するまで、前進させることができる。次に、スパイン付き吸引カテーテル３２０は、マイクロカテーテル４００およびガイドワイヤ上に予め装填され、その同軸アセンブリは、アクセスシース２２０を介して頸動脈内に導入され、そして脳血管内に前進させることができる。マイクロカテーテル４００およびガイドワイヤは、閉塞を横切って前進させることができる。スパイン付き吸引カテーテル３２０の先端部は、できるだけ遠位であって凝血塊に近くなるように前進させることができる。
【０１１３】
この時点で、ガイドワイヤを除去し、閉塞を横切って位置決めされるまで、マイクロカテーテル４００を通って回収可能なステントデバイスを挿入することができる。マイクロカテーテル４００を、ステントを配置するために引き戻すことができる。デバイス移動のいずれの時点でも、遠位塞栓防止に適したレベルで、例えば、ガイドワイヤまたはマイクロカテーテル４００が閉塞を横断している時、またはステントの展開前に、吸引源から吸引を開始することができる。ステントの展開前に吸引を開始することで、病変部を横断している時に遊離した塞栓は、動脈内の回復流の下流には搬送されず、むしろカテーテル先端部内に捕捉される。回収可能なステント装置５００が展開されている間、吸引を維持することができる。典型的には、ステントを後退させる前の数分間に展開され、ステントストラットの閉塞に対する係合を最大にすることができる。次に、回収可能なステントデバイス５００をスパイン付きカテーテル３２０の中に引き込み、アクセスシース２２０の近位バルブから完全に除去されるまで後退を続けさせることができる。
【０１１４】
あるいは、ステントデバイス５００をスパイン付きカテーテル３２０の遠位部内に引き込むことができ、ステントデバイス５００およびスパイン付きカテーテル３２０を、アクセスシース２２０から一緒に引き戻すことができる。ステントおよび／またはカテーテルの引き込みステップの間、吸引をより高いレベルまで増加させることができ、凝血塊の吸引を最適化し、遠位塞栓を最小化することができる。アクセスシース２２０は、コネクタ上にバルブを有する近位延長部２４０を有し、デバイス５００は、近位延長部２４０内に引き込まれ、そのバルブが閉じられ、次いで、近位止血弁２３４を広く開けることができ、そしてステントデバイス５００またはステントデバイス／スパイン付きカテーテルの組み合わせを引き出すことができる。次いで、手順が指示する場合、別の血栓摘出の試みのために、同じまたは代替のデバイスが再挿入される前に、近位延長部２４０は、バルブ洗浄ライン２３６および吸引ライン２３０を介して洗浄されることができる。
【０１１５】
吸引カテーテル３２０を配置した後で交互に、拡張可能部５１０の一部が血栓を横切るとともに、一部がカテーテル３２０の遠位セグメント３２２にあるように、長尺の、またはセグメント化されたステント回収器５００はマイクロカテーテル４００とともに上述のように配置され、次いで拡張される。拡張可能部５１０が拡張された後、血栓が血管およびカテーテル３２０から吸引源６００の中に完全に吸引されるように、あるいは、カテーテル３２０の遠位先端部および／または遠位管腔３２３に吸引されるように、吸引を開始させることができる。その時点で、長尺の、またはセグメント化されたステント回収器５００を、吸引しながら、カテーテル３２０内に注意深く引き込むことができる。この時点で、カテーテル３２０に詰まっている凝血塊および／またはこのステップの間に遊離するデブリは、カテーテル３２０の中に吸引されなくてはならない。カテーテル３２０の作業チャネル３２３からステント回収デバイス５００を完全に取り外すことで、管腔３２３から閉塞物質を完全に除去しなければならない。
【０１１６】
これらのいずれのシナリオにおいても、吸引源は、カテーテル内の自由流れの間の血液損失を最小限に抑えながら、血栓性閉塞に対する吸引力を最大化するように構成されている、可変またはマルチステートの吸引源であってもよい。
【０１１７】
別の例示的な方法では、アクセスシース２２０は、閉塞バルーン２４６を有している。図７に示すように、遠位塞栓の高いリスクが存在する手順のステップの際に、例えば、凝血塊の付着した、ステントデバイス５００またはスパイン付きカテーテル３２０の後退時に、バルーン２４６を膨張させることができる。バルーン２４６は、順行性の流れを停止させ、頚動脈内の吸引力を増加させる効果を有し、それにより、凝血塊の吸引を増加させるとともに、遠位塞栓の危険を減少させる。
【０１１８】
別の例示的な方法では、アクセスシース２２０は、拡張可能な遠位先端部を有する。この方法では、アクセスシース先端部が所望の部位に到達した後しばらくして、しかし、スパイン付きカテーテル３２０がアクセスシース２２０の中に後退する前に、遠位先端部を拡張することができる。遠位先端部がシース２２０の先端部の中に引き込まれているので、この方法によれば、スパイン付きカテーテル３２０の遠位先端部に付着している凝血塊の遊離によりもたらされる遠位塞栓の可能性を減少させることができる。代わりに、拡張または膨張したアクセスシースの先端部は、全ての凝血塊を捕捉するための漏斗として作用する。
【０１１９】
別の例示的な方法では、先に簡単に説明したように、アクセスシース１２２０は、側方開口部１２１９を有している(図１２Ｃに最もよく示されている)。この方法では、カテーテル１３２０の遠位管腔部１３２２の管腔１３２３を通って延在するスパイン付き拡張器１３４０を有するスパイン付きカテーテル１３２０を、アクセスシース１２２０の管腔１２２３を通って、シース本体ｎ１２２２の遠位端領域に向かって前進させることができる。スパイン付きカテーテル１３２０の遠位管腔部１３２２の遠位先端部（遠位管腔部１３２２を通って延在し、カテ-テルシステムに最遠位端を形成するスパイン付き拡張器を有してもよい）は、側方開口部１２１９を介して管腔１２２３から出ることができ、次いでアクセスシース１２２０の遠位先端部を超えて遠位方向にさらに前進することができる。傾斜特徴部１２１７または他の内部特徴部を、管腔１２２３の遠位端領域に取り込むことで、面を形成することができ、その面に対しては、カテーテル１３２０をシース本体１２２２の管腔１２２３の長手方向軸Ａから離れて側方開口部１２１９に向けて誘導するように、拡張器の先端部を偏向させることができ、それにより円滑な移行または管腔１２２３からの出口を達成できる。拡張器１３４０の遠位先端部１３４６は、傾斜特徴部１２１７に当接するとともに、シース本体１２２２の長手方向軸から離れるように僅かな角度だけ側方開口部１２１９の方向に向けられてもよい。本明細書の他の箇所に記載されているように、シース本体１２２２、よって側方開口部１２１９は、シース１２２０の長手方向軸Ａに対する所望の方向に向けて、側方開口部１２１９からカテーテル１３２０が遠位に延在可能に、１つ以上の側方開口部１２１９が配置されるように、長手方向軸Ａの回りを回転可能とすることができる。これは、オペレータが遭遇する解剖学的構造によって決定されることが多い。また、本明細書の他の箇所に記載されているように、カテーテルの遠位管腔部１３２２とアクセスシース本体１２２２との間に重なり領域１１２０に形成されている。シール要素１３３６は、遠位管腔部１３２２の外面、例えば、遠位管腔部１３２２の近位端領域の近傍に位置決めすることができ、重なり領域１１２０内に配置させることができる。形成されたシールは、管腔部１３２２の管腔１３２３から拡張器１３４０を引き出す時に、管腔部１３２２の管腔１３２３とアクセスシース本体１２２２の管腔１２２３とにより形成される、連続管腔を通して吸引力の完全な伝達を可能とする。
【０１２０】
別の例示的な方法では、吸引源６００は、血液の完全性を維持する採血槽に接続されるが、そこでは、手順の血栓摘出部の終了時に、直接、あるいは細胞洗浄および／または血液濾過のような血液の後処理のいずれかにより、患者に安全に血液を戻すことができるようにすることができる。別の例示的な方法では、血液槽を必要とせずに処置中に血液を患者に戻すことを可能にする、静脈シースまたは静脈還流カテーテル等のデバイスに順番に接続される血液シャントに吸引源を接続する。別の例示的な方法では、血液は槽の中に回収され、手順の終了時に廃棄される。
【０１２１】
別の例示的な方法では、本明細書の他の箇所に記載されているように、アクセスシース１２２０は、大腿挿入部位から、鎖骨下動脈または外頸動脈へ送達される。アクセスシース１２２０は、塞栓を有する内頸動脈（ＩＣＡ）等の標的血管と外頸動脈（ＥＣＡ）等の別の血管との間の分岐部の竜骨（carina）に送達されることができる。アクセスシース１２２０が位置決めされると、スプライン吸引カテーテル１３２０等の作業デバイスは、アクセスシース１２２０の管腔１２２３を通って標的血管内へ送達されることができる。本明細書の他の箇所に記載されているように、アクセスシース１２２０の管腔１２２３とカテーテル１３２０の管腔１３２３は隣接しており、吸引のための逓増した直径を形成する。重なり領域１１２０は、アクセスシース１２２０の管腔１２２３から遠位方向に延在するカテーテル１３２０の間に維持される。カテーテル１３２０は、アクセスシース１２２０の遠位先端部にある開口部１２２１、あるいはアクセスシース１２２０の遠位領域の近傍にある側方開口部１１１９を通って、アクセスシース１２２０の管腔１２２３から遠位方向に延在することができることを理解されたい。解剖学的構造に対する側方開口部１１１９の最適な配置を提供するために、アクセスシース１２２０の本体部１２２２を配向させることができる。カテーテル１３２０の遠位管腔部１３２２とアクセスシース本体１２２２との間の重なり領域１１２０は、シールを形成するとともに、管腔部１３２２の管腔１３２３とアクセスシース本体部１２２２の管腔１２２３との間に形成される隣接管腔を通して吸引力を完全に伝達することが可能であり、並びに血管造影用造影剤注入、生理食塩水、１つ以上の薬剤または他の材料等の神経血管系の解剖学的構造への直接注入等の、標的血管への流体の送達に対するシールを提供することができる。アクセスシース１２２０の作業管腔１２２３が吸引カラムの大部分を提供するようにすることで、スパイン付き吸引カテーテル１３２０は、より強力な吸引力を生成することができる。本明細書の他の箇所に記載されているように、吸引カテーテル１３２０の遠位管腔部１３２２の管腔１３２３の寸法は、アクセスシース１２２０の管腔１２２３の直径より小さくすることができ、それを貫通して延在するスパイン１３３０の直径分だけ減らすことができる。管腔の逓増した直径は、例えば、同様の全長を有する大口径カテーテルの吸引カラムよりも大きな吸引カラムを形成することができる。スパイン付き吸引カテーテル１３２０は、例えば、オペレータが、頸動脈錐体部または脳血管内の到達困難な目印に到達することを望む場合の、支持送達カテーテルとしても用いることができる。より具体的には、アクセスシース１２２０の作業管腔１２２３を通して標的血管内にスパイン付き吸引カテーテル１３２０を送達後、ガイドワイヤ、マイクロカテーテル、ステント回収器等の第２の作業デバイスを、本明細書の別の箇所に記載されているように、別の手順動作を行うために、管腔１３２３を通して、より遠位の解剖学的構造に送達することができる。
【０１２２】
本明細書は、多くの具体例を含んでいるが、これらは、請求されているまたは請求可能な発明の範囲に対する制限としてではなく、特定の実施態様に特有の特徴を説明するものとして解釈されるべきである。別の実施態様との関係で本明細書に記載された特定の複数の特徴は、単一の実施形態において組み合わせて実行することも可能である。反対に、単一の実施態様との関係で記載された様々な特徴は、複数の実施態様で別々に、または適切なサブコンビネーションで、実行することもできる。さらに、特徴が、特定の組合せで機能すると上述され、また、たとえ最初にそのように請求されていたとしても、請求された組合せ由来の１つまたは複数の特徴は、いくつかの事例では、その組合せから除外され、また、請求された組合せは、サブコンビネーションまたはサブコンビネーションの変形と関連する場合もある。同様に、操作は、特定の順序で図面に示されているが、そのような操作は、望ましい結果を達成するには、図示された特定の順序でまたは順次行われること、または図示された全ての操作が行われることが必要であると理解されるべきではない。したがって、添付の請求項の趣旨および範囲は、本明細書に含まれる実施態様の記載に制限されるべきものではない。
【図１】
2020185396.tif 000003
【図２Ａ】
2020185396.tif 000004
【図２Ｂ】
2020185396.tif 000005
【図３】
2020185396.tif 000006
【図４】
2020185396.tif 000007
【図５】
2020185396.tif 000008
【図６】
2020185396.tif 000009
【図７】
2020185396.tif 000010
【図８Ａ】
2020185396.tif 000011
【図８Ｂ】
2020185396.tif 000012
【図９】
2020185396.tif 000013
【図１０Ａ】
2020185396.tif 000014
【図１０Ｂ】
2020185396.tif 000015
【図１０Ｃ】
2020185396.tif 000016
【図１１】
2020185396.tif 000017
【図１２Ａ】
2020185396.tif 000018
【図１２Ｂ】
2020185396.tif 000019
【図１２Ｃ】
2020185396.tif 000020
【図１３】
2020185396.tif 000021
【図１４】
2020185396.tif 000022
【図１５Ａ】
2020185396.tif 000023
【図１５Ｂ】
2020185396.tif 000024
【図１６】
2020185396.tif 000025
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
神経血管内の管腔内医療処置の促進のための血管内アクセスデバイスであって、
可撓性の遠位部であって、近位端領域と、テーパー状遠位先端部を備えた遠位端領域と、１つの管腔と、外径とを有し、前記１つの管腔は、前記遠位部を通して前記テーパー状遠位先端部の遠位開口部まで長手方向に延在している、前記可撓性の遠位部と、
前記遠位部の前記近位端領域から近位方向に延在するスパインであって、前記遠位部とは異なる材料から成り、前記遠位部の前記１つの管腔と通じる１つの管腔を有する、前記スパインと、を有してなる、血管内アクセスデバイス。
【請求項２】
前記テーパー状遠位先端部の遠位端に第１のマーカーをさらに含む請求項１に記載のデバイス。
【請求項３】
前記テーパー状遠位先端部の近位端に第２のマーカーをさらに含む請求項２に記載のデバイス。
【請求項４】
前記テーパー状遠位先端部の近位端に第１のマーカーをさらに含む請求項１に記載のデバイス。
【請求項５】
前記テーパー状遠位先端部の長さは、１．５ｃｍ〜３ｃｍである、請求項１〜４のいずれか１項に記載のデバイス。
【請求項６】
前記遠位部は、ポリマーから成る、請求項２〜４のいずれか１項に記載のデバイス。
【請求項７】
前記スパインは、金属から成る、請求項１または６に記載のデバイス。
【請求項８】
前記可撓性の遠位部の前記近位端領域はより柔軟な材料から成り、近位方向に向かって硬くなる、請求項１または７に記載のデバイス。
【請求項９】
前記可撓性の遠位部は、前記外径を有し、前記可撓性の遠位部の少なくとも一部に沿って延在する筒状部を有する、請求項１または２に記載のデバイス。
【請求項１０】
前記筒状部は、前記デバイスの全長に亘って延在している、請求項９に記載のデバイス。
【請求項１１】
前記可撓性の遠位部の前記１つの管腔の直径と、カテーテルの外径との差は、０．００２インチ以下である、請求項９に記載のデバイス。
【請求項１２】
前記可撓性の遠位部の前記近位端領域の近位端に位置する、メス型ルアーアダプターをさらに含む、請求項１〜１１のいずれか１項に記載のデバイス。
【請求項１３】
前記スパインの外径は、前記可撓性の遠位部の前記外径と同じである、請求項１に記載のデバイス。
【請求項１４】
前記スパインの外径は、前記可撓性の遠位部の前記外径より小さい、請求項１に記載のデバイス。
【請求項１５】
前記可撓性の遠位部の前記１つの管腔の直径は、０．０１４〜０．０１８インチである、請求項１または２に記載のデバイス。
【請求項１６】
前記可撓性の遠位部の前記１つの管腔の直径は、０．０２０〜０．０２４インチである、請求項１または２に記載のデバイス。
【請求項１７】
前記可撓性の遠位部の外径は、カテーテルの管腔内に受け入れ可能であって、前記可撓性の遠位部と前記カテーテルの前記管腔との間のスムーズな移動が可能となるように、大きさが決められている、請求項１または２に記載のデバイス。
【外国語明細書】
2020185396.tif 000026
2020185396.tif 000027
2020185396.tif 000028
2020185396.tif 000029
2020185396.tif 000030
2020185396.tif 000031
2020185396.tif 000032
2020185396.tif 000033
2020185396.tif 000034
2020185396.tif 000035
2020185396.tif 000036
2020185396.tif 000037
2020185396.tif 000038
2020185396.tif 000039
2020185396.tif 000040
2020185396.tif 000041
2020185396.tif 000042
2020185396.tif 000043
2020185396.tif 000044
2020185396.tif 000045
2020185396.tif 000046
2020185396.tif 000047
2020185396.tif 000048
2020185396.tif 000049
2020185396.tif 000050
2020185396.tif 000051
2020185396.tif 000052
2020185396.tif 000053
2020185396.tif 000054
2020185396.tif 000055
2020185396.tif 000056
2020185396.tif 000057
2020185396.tif 000058
2020185396.tif 000059
2020185396.tif 000060
2020185396.tif 000061
2020185396.tif 000062
2020185396.tif 000063
2020185396.tif 000064
2020185396.tif 000065
2020185396.tif 000066
2020185396.tif 000067
2020185396.tif 000068
2020185396.tif 000069
2020185396.tif 000070
2020185396.tif 000071
2020185396.tif 000072
2020185396.tif 000073
2020185396.tif 000074
2020185396.tif 000075
2020185396.tif 000076
2020185396.tif 000077
2020185396.tif 000078
2020185396.tif 000079
2020185396.tif 000080
2020185396.tif 000081
2020185396.tif 000082
2020185396.tif 000083
2020185396.tif 000084
2020185396.tif 000085
2020185396.tif 000086
2020185396.tif 000087
2020185396.tif 000088
2020185396.tif 000089
2020185396.tif 000090
2020185396.tif 000091
2020185396.tif 000092
2020185396.tif 000093
2020185396.tif 000094
2020185396.tif 000095
2020185396.tif 000096
2020185396.tif 000097
2020185396.tif 000098
2020185396.tif 000099
2020185396.tif 000100
2020185396.tif 000101
2020185396.tif 000102
2020185396.tif 000103
2020185396.tif 000104